(57)【要約】  電子機器（例えば、光ディスク再生装置）は、外部装置（例えば、表示装置）と接続可能であり、電源状態としてスタンバイ状態を有する。電子機器は、その本体に出し入れ可能に設けられ、突出位置と収納位置との間を移動可能な移動部材（例えば、ディスクトレイ）（１９１）と、移動部材を駆動させる駆動手段（１０）と、移動部材が収納位置にあるか否かを検出する検出手段（１９３）と、外部装置から種々のコントロール信号を受信する通信手段と、電子機器の電源状態を制御する電源制御手段（１４）と、電源制御手段で電子機器の電源状態がスタンバイ状態に変更された場合、移動部材を収納位置に位置させるように駆動手段を制御する制御手段（１４）とを備える。電源制御手段（１４）は、通信手段が所定のコントロール信号を受信した場合、検出手段の検出結果に応じて電源状態をスタンバイ状態に変更するか否かを制御する。
2010103799.tif 000002
【特許請求の範囲】
【請求項１】
外部装置と接続可能であり、電源状態として省電力のために一部の回路のみに電源が供給されるスタンバイ状態を有する電子機器であって、
当該電子機器の本体に出し入れ可能に設けられ、突出位置と収納位置との間を移動可能な移動部材と、
前記移動部材を駆動させる駆動手段と、
前記移動部材が収納位置にあるか否かを検出する検出手段と、
前記外部装置から種々のコントロール信号を受信する通信手段と、
前記機器の電源状態を制御する電源制御手段と、
前記電源制御手段で当該電子機器の電源状態がスタンバイ状態に変更された場合、前記移動部材を収納位置に位置させるように前記駆動手段を制御する制御手段と、
を備え、
前記電源制御手段は、前記通信手段が所定のコントロール信号を受信した場合、前記検出手段の検出結果に応じて前記電源状態をスタンバイ状態に変更するか否かを制御する、
電子機器。
【請求項２】
前記電源制御手段は、前記通信手段が所定のコントロール信号を受信したときに、
前記移動部材が収納位置にある場合、前記電源状態をスタンバイ状態に変更し、
前記移動部材が収納位置にない場合、前記電源状態を現状の状態に維持する、
請求項１に記載の電子機器。
【請求項３】
前記所定のコントロール信号はユニキャストで送信された信号である、請求項１に記載の電子機器。
【請求項４】
ユーザの指示を受け付ける指示受信手段をさらに備え、
前記制御手段は、前記指示受信手段が前記移動体を突出位置に移動させる指示を受け付けたときに、前記外部装置の入力の切替えを指示するコントロール信号を前記外部装置に送信し、
その後に、前記通信手段が前記外部装置から前記所定のコントロール信号を受信する、
請求項１に記載の電子機器。
【請求項５】
表示装置と接続可能であり、電源状態として省電力のために一部の回路のみに電源が供給されるスタンバイ状態を有する光ディスク再生装置であって、
光ディスクを載置又は保持し、当該光ディスク再生装置の本体に出し入れ可能に設けられ、突出位置と収納位置との間を移動可能なディスクトレイと、
ディスクトレイを駆動する駆動手段と、
前記ディスクトレイが収納位置にあるか否かを検知する第１の検出手段と、
前記表示装置から種々のコントロール信号を受信する通信手段と、
光ディスク再生装置の電源状態を制御する電源制御手段と、
前記電源制御手段で光ディスク再生装置の電源状態がスタンバイ状態に変更された場合、前記ディスクトレイを収納位置に位置させるように前記駆動手段を制御する制御手段と、を備え、
前記電源制御手段は、前記通信手段が所定のコントロール信号を受信したときに、前記第１の検出手段の検出結果に応じて前記電源状態をスタンバイ状態に変更するか否かを決定する、
光ディスク再生装置。
【請求項６】
前記ディスクトレイが光ディスクを載置又は保持しているか否かを検出する第２の検出手段をさらに備え、
前記電源制御手段は、前記通信手段が前記所定のコントロール信号を受信したときに、前記第１の検出手段により前記移動部材が収納位置にあると判断された場合に、前記第２の検出手段の検出結果に応じて当該光ディスク再生装置の電源状態をスタンバイ状態に変更するか否かを制御する、
請求項５に記載の光ディスク再生装置。
【請求項７】
前記所定のコントロール信号は、ユニキャストで送信された信号である、請求項５に記載の光ディスク再生装置。
【請求項８】
ユーザの指示を受け付ける指示受信手段をさらに備え、
前記制御手段は、前記指示受信手段が前記ディスクトレイを突出位置に移動させる指示を受け付けたときに、前記表示装置の映像入力の切替えを指示するコントロール信号を前記表示装置に送信し、
その後に、前記通信手段が前記表示装置から前記所定のコントロール信号を受信する、
請求項５に記載の光ディスク再生装置。
【請求項９】
表示装置と、前記表示装置に接続可能な光ディスク再生装置とを含む光ディスク再生システムであって、
前記表示装置は、
前記光ディスク再生装置との間で種々のコントロール信号の通信を行なう第１の通信手段と、
前記光ディスク再生装置から映像信号を受信する第１の受信手段と、
前記光ディスク再生装置と異なる映像ソースから映像信号を受信する第２の受信手段と、
少なくとも前記第１及び第２の受信手段の中から１つの受信手段を選択し、選択した受信手段からの映像信号を出力する選択手段と、
前記選択手段を制御する選択制御手段と、
前記選択制御手段によって、選択手段が選択する出力が、前記第１の受信手段からの映像信号から、前記第２の受信手段からの映像信号に切り換えられた場合、前記第１の通信手段を介して前記光ディスク再生装置に第１のコントロール信号を送信する第１の送信手段と、を備え、
前記光ディスク再生装置は、
前記表示装置との間で前記種々のコントロール信号の通信を行なう第２の通信手段と、
前記光ディスク再生装置の本体に出し入れ可能に設けられ、突出位置と収納位置との間を移動可能なディスクトレイと、
前記ディスクトレイによって収納された光ディスクから映像信号を再生し、前記表示装置に出力する再生手段と、
ユーザによる前記再生手段の再生動作を停止させる指示または前記ディスクトレイを突出位置に移動させる指示を受信する指示受信手段と、
前記ディスクトレイが収納位置にあるか否かを検出する検出手段と、
前記光ディスク再生装置の電源状態を制御する電源制御手段と、
前記電源制御手段により電源状態がスタンバイ状態に変更された場合、前記ディスクトレイを収納位置に位置させるよう制御する制御手段と、
を備え、
前記光ディスク再生装置の電源制御手段は、前記表示装置から前記第１のコントロール信号を受信した場合、前記検出手段の検出結果に応じて、光ディスク再生装置の電源状態をスタンバイ状態に変更するか否かを制御し、
前記光ディスク再生装置の制御手段は、前記指示受信手段が前記再生動作を停止させる指示またはディスクトレイを突出位置に移動させる指示を受信したときに、前記第２の通信手段を介して前記表示装置に第２のコントロール信号を送信し、
前記表示装置の選択制御手段は、前記選択手段によって前記第１の受信手段が選択されている状態で、前記光ディスク再生装置から前記第２のコントロール信号を受信した場合、前記第２の受信手段を選択するように前記選択手段を制御する、
光ディスク再生システム。
【請求項１０】
前記第１のコントロール信号はユニキャストで送信された信号である、請求項９に記載の光ディスク再生システム。
【発明の詳細な説明】
【技術分野】
【０００１】
本発明は、外部装置（例えば、表示装置）と接続可能な電子機器（例えば、光ディスク再生装置）に関し、特に、外部装置からコントロール信号を受信することが可能な電子機器に関する。
【背景技術】
【０００２】
特許文献１は、光ディスクを再生可能な映像再生装置を開示する。この映像再生装置は、映像表示装置（例えば、ＴＶ）とＨＤＭＩ（High-Definition Multimedia Interface）ケーブルを介して接続可能に構成されており、映像表示装置との間でコントロール信号を送受信可能である。【０００３】
非特許文献１に、そのようなコントロール信号の例が記載されている。非特許文献１には、例えば、コントロール信号の一例として、ＴＶの外部入力を、ＨＤＭＩ端子に接続された機器の入力（以下「ＨＤＭＩ入力」という。）から、アンテナ端子の入力（以下「アンテナ入力」という。）に切り換えるための信号（以下「ＴＶ入力切替信号」という。）が開示されている。【０００４】
そのコントロール信号は、例えば以下のように使用される。ＴＶとプレーヤはＨＤＭＩケーブルで接続されており、再生動作中、プレーヤはその内部に収納した光ディスクの映像信号を再生し、ＨＤＭＩケーブルを介してＴＶに出力する。この状態で、プレーヤに対するユーザの指示によって再生処理が停止されると、プレーヤはＴＶ入力切替信号をＴＶに送信する。ＴＶは、プレーヤからＴＶ入力切替信号を受信すると、外部入力をＨＤＭＩ入力からアンテナ入力に切り換える。【０００５】
また、非特許文献１には、別の例として、ＴＶの全てのＨＤＭＩ端子に接続された機器の電源を、省電力のために一部の回路のみに電源が供給されるスタンバイ状態に制御するためのコントロール信号が開示されている。このコントロール信号は、全てのＨＤＭＩ端子に接続された機器に対して送信（ブロードキャスト）されることから、以下、「スタンバイ（ブロードキャスト）信号」と称する。【０００６】
非特許文献１には、さらに別の例として、特定のＨＤＭＩ端子に接続された機器の電源のみをスタンバイ状態にするためのコントロール信号が記載されている。このコントロール信号は特定のＨＤＭＩ端子に接続された機器に対してのみ送信（ユニキャスト）されることから、以下、「スタンバイ（ユニキャスト）信号」と称する。【０００７】
また、一般に映像再生装置は光ディスクを収納するディスクドライブユニットを有する。ディスクドライブユニットは、ユーザの操作に応じて、光ディスクを載置するディスクトレイを装置本体から出し入れ可能に構成されている。
【先行技術文献】
【特許文献】
【０００８】
【特許文献１】特開２００７−２７４２９６号公報
【非特許文献】
【０００９】
【非特許文献１】ＨＤＭＩ  Ｓｐｅｃｉｆｉｃａｔｉｏｎ  １．３ａ  （ＣＥＣ  Ｓｕｐｐｌｅｍｅｎｔ部）
【発明の概要】
【発明が解決しようとする課題】
【００１０】
上記のような従来の映像再生装置には、それに接続する表示装置と連動して例えば以下のように動作するものがある。【００１１】
映像再生装置はそれが接続する表示装置から所定のコントロール信号を受信することができる。そして、ディスクトレイが装置本体から突出している状態（ディスクトレイのオープン状態）で、表示装置から、所定のコントロール信号として、電源状態をＯＮ状態からスタンバイ状態にするためのスタンバイ信号を受信すると、映像再生装置は、装置内の各部に対して電源の供給を停止する。その際、映像再生装置では、ディスクトレイを本体から突出させておく必要がないため、ディスクトレイを収納するようにディスクドライブに指示を出し、その後、ディスクドライブへの電力の供給を停止する。このような動作を行う映像再生装置では次のような問題がある。【００１２】
ユーザが光ディスクを交換する際、映像再生装置のディスクトレイをオープンにし、その後、ディスクトレイに光ディスクを載置する。その操作中に、表示装置から映像再生装置へスタンバイ信号が送信されると、映像再生装置は、このスタンバイ信号にしたがいディスクトレイを装置本体に収納する。この場合、ユーザが光ディスクの交換作業を終了する前であっても、ディスクトレイが装置本体内に強制的に収納されてしまい、ユーザが交換作業を継続できなくなるおそれがある。【００１３】
このように、ユーザがディスクを交換している途中に、録画再生装置側主導でディスクトレイが装置本体内に収納されてしまうと、ユーザは意図した作業を続行できず、ユーザの利便性を害するという事態を招くおそれがある。【００１４】
本発明は、上記課題を解決するためになされたものであり、外部装置（例えば、表示装置）からのコントロール信号に基づき制御可能な電子機器（例えば、光ディスク再生装置）であって、外部装置から所定のコントロール信号を受信したときに、ユーザの利便性を損なわずに、コントロール信号に応じた動作を実行する装置を提供することを目的とする。
【課題を解決するための手段】
【００１５】
本発明の第１の態様において、外部装置と接続可能であり、電源状態として省電力のために一部の回路のみに電源が供給されるスタンバイ状態を有する電子機器が提供される。電子機器は、その本体に出し入れ可能に設けられ、突出位置と収納位置との間を移動可能な移動部材と、移動部材を駆動させる駆動手段と、移動部材が収納位置にあるか否かを検出する検出手段と、外部装置から種々のコントロール信号を受信する通信手段と、電子機器の電源状態を制御する電源制御手段と、電源制御手段で電子機器の電源状態がスタンバイ状態に変更された場合、移動部材を収納位置に位置させるように駆動手段を制御する制御手段と、を備える。電源制御手段は、通信手段が所定のコントロール信号を受信した場合、検出手段の検出結果に応じて電源状態をスタンバイ状態に変更するか否かを制御する。【００１６】
上記の構成により、電子機器は、外部装置から所定のコントロール信号を受け付けた場合において、移動部材が収納位置に存在するか否かに応じて、電源状態をスタンバイ状態に変更するか否かを制御できる。これによって、電源状態がスタンバイ状態にされることで、移動部材が収納位置に移動させられて、ユーザが意図しないで移動部材が収納されることを防止できる。【００１７】
本発明の第２の態様において、表示装置と接続可能であり、電源状態として省電力のために一部の回路のみに電源が供給されるスタンバイ状態を有する光ディスク再生装置が提供される。光ディスク再生装置は、その本体に出し入れ可能に設けられ、突出位置と収納位置との間を移動可能なディスクトレイと、ディスクトレイを駆動する駆動手段と、ディスクトレイが収納位置にあるか否かを検知する第１の検出手段と、表示装置から種々のコントロール信号を受信する通信手段と、光ディスク再生装置の電源状態を制御する電源制御手段と、電源制御手段で光ディスク再生装置の電源状態がスタンバイ状態に変更された場合、ディスクトレイを収納位置に位置させるように駆動手段を制御する制御手段と、を備える。電源制御手段は、通信手段が所定のコントロール信号を受信したときに、第１の検出手段の検出結果に応じて電源状態をスタンバイ状態に変更するか否かを決定する。【００１８】
上記の構成により、光ディスク再生装置は、表示装置から所定のコントロール信号を受け付けた場合において、ディスクトレイが収納位置に存在するか否かに応じて、電源状態をスタンバイ状態に変更するか否かを制御できる。これによって、電源状態がスタンバイ状態にされることで、ディスクトレイが収納位置に移動させられて、ユーザが意図しないで移動部材が収納されることを防止できる。【００１９】
さらに、光ディスク再生装置は、ディスクトレイが光ディスクを載置又は保持しているか否かを検出する第２の検出手段を備えてもよい。電源制御手段は、通信手段が所定のコントロール信号を受信したときに、第１の検出手段により移動部材が収納位置にあると判断された場合に、第２の検出手段の検出結果に応じて光ディスク再生装置の電源状態をスタンバイ状態に変更するか否かを制御してもよい。これによって、より確実にユーザが意図しないで移動部材が収納されることを防止できる。【００２０】
本発明の第３の態様において、表示装置と、表示装置に接続可能な光ディスク再生装置とを含む光ディスク再生システムが提供される。表示装置は、光ディスク再生装置との間で種々のコントロール信号の通信を行なう第１の通信手段と、光ディスク再生装置から映像信号を受信する第１の受信手段と、光ディスク再生装置と異なる映像ソースから映像信号を受信する第２の受信手段と、少なくとも第１及び第２の受信手段の中から１つの受信手段を選択し、選択した受信手段からの映像信号を出力する選択手段と、選択手段を制御する選択制御手段と、選択制御手段によって、選択手段が選択する出力が、第１の受信手段からの映像信号から、第２の受信手段からの映像信号に切り換えられた場合、第１の通信手段を介して光ディスク再生装置に第１のコントロール信号を送信する第１の送信手段とを備える。光ディスク再生装置は、表示装置との間で種々のコントロール信号の通信を行なう第２の通信手段と、光ディスク再生装置の本体に出し入れ可能に設けられ、突出位置と収納位置との間を移動可能なディスクトレイと、ディスクトレイによって収納された光ディスクから映像信号を再生し、表示装置に出力する再生手段と、ユーザによる再生手段の再生動作を停止させる指示またはディスクトレイを突出位置に移動させる指示を受信する指示受信手段と、ディスクトレイが収納位置にあるか否かを検出する検出手段と、光ディスク再生装置の電源状態を制御する電源制御手段と、電源制御手段により電源状態がスタンバイ状態に変更された場合、ディスクトレイを収納位置に位置させるよう制御する制御手段と、を備える。光ディスク再生装置の電源制御手段は、表示装置から第１のコントロール信号を受信した場合、検出手段の検出結果に応じて、光ディスク再生装置の電源状態をスタンバイ状態に変更するか否かを制御する。光ディスク再生装置の制御手段は、指示受信手段が再生動作を停止させる指示またはディスクトレイを突出位置に移動させる指示を受信したときに、第２の通信手段を介して表示装置に第２のコントロール信号を送信する。表示装置の選択制御手段は、選択手段によって第１の受信手段が選択されている状態で、光ディスク再生装置から第２のコントロール信号を受信した場合、第２の受信手段を選択するように選択手段を制御する。【００２１】
上記第３の態様により、光ディスク再生装置が、ユーザから光ディスク再生装置の再生動作の停止またはディスクトレイのオープンの指示を受けた場合に、表示装置に対して映像入力の切替えを指示するコントロール信号（第２のコントロール信号）を送信する機能を有し、表示装置が、そのコントロール信号に応じて映像入力を切り替えるとともに光ディスク再生装置をスタンバイ状態に制御するコントロール信号（第１のコントロール信号）を送信する機能を有する場合に、ユーザがディスクを交換したいのにもかかわらず、交換できないといった不都合を軽減できる。
【発明の効果】
【００２２】
本発明によれば、電子機器（光ディスク再生装置）は、外部装置（表示装置）から所定のコントロール信号を受信した場合において、移動部材（ディスクトレイ）が収納位置に存在するか否かに応じて、電源状態をスタンバイ状態に変更するか否かを制御できる。これによって、電源状態がスタンバイ状態にされることで、移動部材が収納位置に移動させられて、ユーザが意図しないで移動部材（ディスクトレイ）が収納されることを防止できる。
【図面の簡単な説明】
【００２３】
【図１】本発明の実施の形態の表示システムの構成を示す図
【図２】第１の実施の形態のレコーダの構成例を示す図
【図３】第１の実施の形態の表示装置の構成例を示す図
【図４】第１の実施の形態のレコーダの動作を説明するためのフローチャート
【図５】第２の実施の形態のレコーダの動作を説明するためのフローチャート
【発明を実施するための形態】
【００２４】
以下、添付の図面を参照して本発明の一実施形態を説明する。以下に説明する実施形態では、本発明の思想をレコーダに適用した例を説明する。なお、レコーダは電源状態の１つとして電力消費を低減するためのスタンバイ状態を有し、そのスタンバイ状態では、ディスクトレイは収納位置に配置されるように制御される。
【００２５】
第１の実施形態では、レコーダは、表示装置からスタンバイ信号を取得した場合において、ディスクトレイがレコーダ本体から突出した状態である場合、レコーダの電源状態をスタンバイ状態にしないように制御する。
【００２６】
第２の実施形態では、レコーダは、表示装置からスタンバイ信号を取得した場合において、ディスクトレイがレコーダ本体に収納されたか否か、及び、収納されたディスクトレイ上にディスクが存在するか否かの２つの条件に応じて、レコーダの電源状態をスタンバイ状態にするか否かを判断する。
【００２７】
第１の実施の形態
１  システム構成
１．１  レコーダと表示装置の接続
図１は、レコーダと表示装置で構成される表示システムを示した図である。レコーダ１は表示装置２とＨＤＭＩケーブル３を介して接続される。ＨＤＭＩケーブル３を介して、レコーダ１と表示装置２との間でコントロール信号と映像音声信号が送受信される。本実施の形態では、レコーダ１と表示装置２の間の情報交換（データの送受信）は、ＨＤＭＩケーブル３等を用いた有線による通信で実現したが、これに限られず、無線による通信で実現してもよい。レコーダ１はリモコン１０からの操作信号に応じた動作を実行可能であり、表示装置２はリモコン２０からの操作信号に応じた動作を実行可能である。
【００２８】
レコーダ１は、その内部に収納された光ディスク４から映像信号を読み出して、表示装置２に出力する。表示装置２は、レコーダ１から入力した映像信号を表示する。
【００２９】
１．２  レコーダの構成
図２を参照し、レコーダ１の詳細な構成を説明する。レコーダ１は、チューナ１１、フラッシュメモリ１２、バッファメモリ１３、コントローラ１４、入出力インターフェース１５、受信部１６、アンテナ用端子１７、電源１８及びドライブ装置１９を備える。
【００３０】
チューナ１１は、アンテナ５で受信した放送波をアンテナ用端子１７を介して入力する。チューナ１１は、コントローラ１４によって指定された特定の周波数の映像信号をコントローラ１４に送信し、これにより、コントローラ１４は、放送波に含まれる特定の周波数の映像信号をＨＤ（ハードディスク）ドライブ６に記録できる。またコントローラ１４は、特定の周波数の映像信号を表示装置２に出力できる。
【００３１】
フラッシュメモリ１２は、コントローラ１４が実行するプログラム等を記憶する。バッファメモリ１３は、コントローラ１４で処理を実行する際のワークメモリとして用いられる。バッファメモリ１３は例えばＤＲＡＭで実現可能である。
【００３２】
入出力インターフェース１５は、レコーダ１と表示装置２間の接続を可能にするインターフェースである。入出力インターフェース１５は、レコーダ１と表示装置２との間でコントロール信号や映像信号のやり取りを可能にしている。入出力インターフェース１５は、表示装置２から受信した信号をコントローラ１４に送信し、コントローラ１４から受信した信号を表示装置２に送信する。本例では、入出力インターフェース１５は、ＨＤＭＩ（High Definition Multimedia Interface）に準拠して通信を行うが、コントロール信号や映像信号のやり取りを可能であれば、他のインタフェース規格に準拠してもよい。
【００３３】
受信部１６は、リモコン１０からの操作信号を受信して、コントローラ１４に送信する。受信部１６は、例えば、赤外線センサで実現可能である。リモコン１０は、送信部１０１と操作部１０２とを備えている。操作部１０２は、リモコン１０の外装に設けられた複数の操作部材（ボタン、ダイヤル等）を含む。操作部１０２は、ユーザによって任意の操作部材が操作されると、この操作された操作部材に対応する操作信号を、送信部１０１によってレコーダ１に送信する。これによって、レコーダ１はユーザの操作を認識できる。
【００３４】
電源１８は、レコーダ１の各部に電力を供給する電源である。例えば、電源１８はコントローラ１４に電力を供給する。コントローラ１４は、電源１８によって供給された電力をレコーダ１の各部に供給する。コントローラ１４は、電源の状態に応じて、電力をレコーダ１の一部または全ての回路に供給する。これによって、本実施の形態では、不必要な回路に電力が供給されないようにして、省電力を実現している。電源の状態に関しては、後述する。
【００３５】
ドライブ装置１９は、光ディスク４を載置又は保持するディスクトレイ１９１を備え、ディスクトレイ１９１に収納された光ディスク４から映像信号を読み出す。ディスクトレイ１９１は、レコーダ１本体から突出した状態または収納した状態を取り得るよう移動可能に構成される。つまり、ディスクトレイ１９１は、レコーダ１本体から出し入れ可能に構成され、光ディスク４を載置した状態で突出位置と収納位置間を移動可能である。
【００３６】
レコーダ１には、ユーザの操作によって、ディスクトレイ１９１の出し入れを制御するトレイ用釦１９２が設けられている。トレイ用釦１９２がユーザによって操作されると、ディスクトレイ１９１が突出位置または収納位置に移動される。具体的には、トレイ用釦１９２はユーザにより操作されると、トレイ操作信号をコントローラ１４に出力する。コントローラ１４はトレイ操作信号を受信すると、ドライブ装置１９にトレイ操作信号を出力する。ドライブ装置１９はトレイ操作信号に基づいて、ディスクトレイ１９１が収納位置にあれば、それを突出位置に移動させるようにディスクトレイ１９１の駆動手段（モーター等）を制御する。一方、ディスクトレイ１９１が突出位置にあれば、ドライブ装置１９は、それを収納位置に移動させるようにディスクトレイ１９１の駆動手段を制御する。これによって、ユーザがトレイ用釦１９２を操作することで、ディスクトレイ１９１の出し入れを行うことが可能になる。なお、コントローラ１４は、ディスクトレイ１９１が突出位置に存在するか、収納位置に存在するかを示す情報を、検知できるように構成されている。具体的には、ドライブ装置１９は、ディスクトレイ１９１が収納されたことを検知するセンサ１９３を有している。センサ１９３で検知された情報は、コントローラ１４からの要求信号に応じて、ドライブ装置１９からコントローラ１４に送信される。これによって、コントローラ１４は、ディスクトレイ１９１が収納位置に存在することを検知できる。
【００３７】
なお、コントローラ１４は、ディスクトレイ１９１の位置を示す情報を、フラッシュメモリ１２に記憶してもよい。これによりコントローラ１４は、フラッシュメモリ１２に記憶した情報に基づきディスクトレイ１９１の位置を認識してもよい。例えば、コントローラ１４は、ディスクトレイ１９１が突出位置に存在する場合、トレイ用釦１９２からトレイ操作信号を受け付けると、ディスクトレイ１９１の位置を示す情報を収納位置に変更して、フラッシュメモリ１２に記憶する。そして、コントローラ１４は、ドライブ装置１９にトレイ操作信号を送信する。
【００３８】
ドライブ装置１９は、ディスクトレイ１９１が突出位置から収納位置に収納されると、ディスクトレイ１９１に載置可能な光ディスク４が収納されたか否かを検出する。具体的には、ドライブ装置１９は、光ピックアップで光ディスクが存在すべき場所に光を照射し、その照射光に基づく情報が取得できたか否かに応じて、光ディスクが収納されたか否かを検出する。なお、ドライブ装置１９に光ディスクが存在するか否かは、電気的でなく、機械的に検出することも可能である。例えば、ドライブ装置１９のスピンドル機構に、光ディスクが収納された際に押下されるスイッチを設ければよい。
【００３９】
なお、ドライブ装置１９は、一般的なディスクレコーダなどに用いられる技術であるため、上記実施の形態以外にも様々な技術を用いることが可能である。
【００４０】
コントローラ１４はレコーダ１の各部を制御する。また、コントローラ１４は、ドライブ装置１９から出力された映像信号をデコードできる。さらに、コントローラ１４は、映像信号に画像処理を施し、モニタに表示可能な表示画像に変換することも可能である。コントローラ１４は、マイクロコンピュータで構成してもよいし、ハードワイヤードな回路で構成してもよい。コントローラ１４は各種処理を実行可能であり、その詳細は後述する。
【００４１】
１．３  表示装置の構成
図３を参照し、表示装置２の詳細な構成を説明する。表示装置２は、チューナ２１、フラッシュメモリ２２、バッファメモリ２３、画像処理部２４、入出力インターフェース２５、受信部２６、アンテナ用端子２７、電源２８及びモニタ２９を備える。
【００４２】
チューナ２１は、アンテナ５で受信した放送波をアンテナ用端子２７を介して入力する。チューナ２１は、画像処理部２４によって指定された特定の周波数の映像信号を画像処理部２４に送信し、これにより、画像処理部２４は、放送波に含まれる特定の周波数の映像信号をモニタ２９に表示させることができる。
【００４３】
フラッシュメモリ２２は、画像処理部２４が実行するプログラム等を記憶する。バッファメモリ２３は、画像処理部２４で処理を実行する際のワークメモリとして用いられる。バッファメモリ２３は例えばＤＲＡＭで実現可能である。
【００４４】
入出力インターフェース２５は、表示装置２とレコーダ１間の接続を可能にするインターフェースである。入出力インターフェース２５は、表示装置２の画像処理部２４とレコーダ１のコントローラ１４との間でＨＤＭＩ信号に準拠してコントロール信号や映像信号のやり取りを可能にしている。入出力インターフェース２５は、レコーダ１から受信した信号を画像処理部２４に送信し、画像処理部２４から受信した信号をレコーダ１に送信する。入出力インターフェース２５は複数のコネクタを含み、複数の機器と接続が可能となっている。
【００４５】
受信部２６は、リモコン２０からの操作信号を受信して、画像処理部２４に送信する。受信部２６は、例えば、赤外線センサで実現可能である。リモコン２０は、送信部２０１と操作部２０２とを備えている。操作部２０２は、リモコン２０の外装に設けられた複数の操作部材（ボタン、ダイヤル等）を含む。操作部２０２は、ユーザによって任意の操作部材が操作されると、この操作された操作部材に対応する操作信号を、送信部２０１によって表示装置２に送信する。これによって、表示装置２はユーザの操作を認識できる。
【００４６】
電源２８は、表示装置２の各部に電力を供給する電源である。例えば、電源２８は画像処理部２４に電力を供給する。画像処理部２４は、電源２８によって供給された電力を、表示装置２の各部に供給する。
【００４７】
モニタ２９は、画像処理部２４から出力された映像信号を表示する。モニタ２９には、例えば、液晶パネル、有機ＥＬ、プラズマディスプレイパネルなどを用いることができる。
【００４８】
セレクタ２４１は、表示装置２の映像入力すなわち映像ソースを切り替える装置であり、具体的には、画像処理部２４からの制御に応じて、チューナ２１から入力された信号と、入出力インターフェース２５から入力された信号のいずれかを選択し、画像処理部２４に出力する。セレクタ２４１は、画像処理部２４の制御により、チューナ２１からの入力信号を選択した場合、チューナ２１で受信した放送波の信号に基づく映像を、画像処理部２４を介してモニタ２９に出力可能になる。一方、セレクタ２４１は、画像処理部２４によって入出力インターフェース２５からの入力信号を選択した場合、入出力インターフェース２５で受信したレコーダ１からの映像信号に基づく映像を、画像処理部２４を介してモニタ２９に出力可能になる。これによって、モニタ２９はセレクタ２４１で選択された映像が表示される。
【００４９】
画像処理部２４は表示装置２の各部を制御する。また、画像処理部２４は、セレクタ２４１から出力された映像信号をデコードすることも可能である。さらに、画像処理部２４は、映像信号に画像処理を行い、モニタ２９に表示可能な表示画像に変換することも可能である。画像処理部２４は、マイクロコンピュータで構成してもよいし、ハードワイヤードな回路で構成してもよい。
【００５０】
２．電源状態
２．１  レコーダの電源状態
レコーダ１の電源状態について説明する。本実施の形態のレコーダ１は、「電源ＯＮ状態」、「スタンバイ状態（電力供給一部ＯＦＦ）」、「電源ＯＦＦ状態（電力供給なし）」の３種類の電源状態を持つ。
【００５１】
「電源ＯＮ状態」は、レコーダ１の各部に電力が供給されている状態である。例えば、「電源ＯＮ状態」は、レコーダ１の主要機能を実現する機能部に対して電力が供給されていればよい。
【００５２】
「電源ＯＦＦ状態」は、電源１８からの電力供給がまったくない状態である。例えば、電源１８が、商用電源から電力を得ている場合、商用電源から電力が得られなくなった状態である。つまり、レコーダ１の電源ケーブルがコンセントから抜かれている場合などである。
【００５３】
「スタンバイ状態」は、コントローラ１４の一部に電力が供給されている状態である。「スタンバイ状態」は、レコーダ１の設定に応じて、電力を供給する回路を変更する。例えば、レコーダ１は、予約録画の設定が行なわれている場合、チューナ１１、コントローラ１４及びＨＤドライブ６等に電力を供給して、予約設定された番組を録画する。また、レコーダ１は、スタンバイ状態からより高速に電源ＯＮ状態に復帰できるモードに設定されている場合、コントローラ１４に電力を供給しておく。これによって、レコーダ１は、電源状態がスタンバイからＯＮにされた場合、より短時間で「電源ＯＮ状態」に復帰できる。また、レコーダ１は、特に上記のような設定がない場合、主要機能を実現する機能部以外の機能部に、例えば、受信部１６に電力を供給する。「スタンバイ状態」では、ディスクトレイ１９１は収納位置に位置するように制御される。すなわち、「スタンバイ状態」中は、ドライブ装置１９のディスクトレイ１９１の取り出し、取り入れを行うことはできない。
【００５４】
したがって、本実施の形態では、ディスクトレイ１９１が突出位置に存在する状態において、電源状態が「電源ＯＮ状態」から「スタンバイ状態」に変更されると、コントローラ１４は、ドライブ装置１９に指示を出し、ディスクトレイ１９１を収納位置に移動させるよう制御する。
【００５５】
２．２  表示装置の電源状態
表示装置２の電源状態について説明する。本実施の形態の表示装置２は、「ＴＶ電源ＯＮ状態」、「ＴＶスタンバイ（電力供給一部ＯＦＦ）」、「ＴＶ電源ＯＦＦ（電力供給なし）」の３種類の電源状態を持つ。
【００５６】
「ＴＶ電源ＯＮ状態」は、表示装置２の各部に電力が供給されている状態である。例えば、「電源ＯＮ状態」は、表示装置２の主要機能を実現する機能部に対して電力が供給されていればよい。
【００５７】
「ＴＶ電源ＯＦＦ」は、電源２８からの電力供給がまったくない状態である。例えば、電源２８が、商用電源から電力を得ている場合、商用電源から電力が得られなくなった状態である。つまり、表示装置２の電源ケーブルがコンセントから抜かれている場合などである。
【００５８】
「ＴＶスタンバイ状態」は、画像処理部２４の一部に電力が供給されている状態である。ＴＶスタンバイ状態では、表示装置２は、その主要機能を実現する機能部以外の機能部に、例えば、受信部２６に電力を供給する
【００５９】
３  レコーダと表示装置の間で送受信されるコントロール信号（ＣＥＣ）
ＨＤＭＩケーブル３で通信されるコントロール信号（ＣＥＣ）の一例について説明する。以下、レコーダ１から表示装置２に送信されるＴＶ入力切替信号（映像ソース切替信号）、表示装置２からレコーダ１に送信される「スタンバイ（ユニキャスト）」信号及び「スタンバイ（ブロードキャスト）」信号を説明する。
【００６０】
３．１  ＴＶ入力切替信号（映像ソース切替信号）について
レコーダ１は、ドライブ装置１９に収納された光ディスク４から映像信号を読み出して、表示装置２に出力する（光ディスクの再生動作）。光ディスクの再生動作中、光ディスクの再生動作を停止するユーザ操作があると、すなわち、光ディスクの再生動作を停止する操作信号をリモコン１０から受信すると、レコーダ１はＴＶ入力切替信号を表示装置２に送信する。なお、表示装置２にＴＶ入力切替信号を送信した後も、レコーダ１の電源状態は「電源ＯＮ状態」のままである。
【００６１】
表示装置２は、レコーダ１からＴＶ入力切替信号を受信すると、画像処理部２４への入力映像信号を、ＨＤＭＩケーブル３経由の映像信号（入出力インターフェース２５からの映像信号）から、チューナ２１からの映像信号に切り替える。つまり、画像処理部２４は、レコーダ１からＴＶ入力切替信号を受信すると、チューナ２１からの映像信号が画像処理部２４に入力されるようにセレクタ２４１を制御する。
【００６２】
なお、上記の例では、光ディスクの再生動作を停止するユーザの操作があったときに、ＴＶ入力切替信号が表示装置２に出力されたが、レコーダ１のディスクトレイ１９１をオープン状態にする（すなわち、ディスクトレイ１９１を突出位置に移動させる）ためのユーザ操作があったきに、レコーダ１はＴＶ入力切替信号を表示装置２に出力するようにしてもよい。
【００６３】
３．２  スタンバイ（ユニキャスト）信号について
表示装置２は、受信したＴＶ入力切替信号に応じて画像処理部２４に対する入力を、ＨＤＭＩケーブル３経由の入力（入出力インターフェース２５からの入力）から、チューナ２１からの入力に切り替えた後、チューナ２１からの入力が所定時間継続した場合、「スタンバイ（ユニキャスト）」信号をレコーダ１に送信する。
【００６４】
スタンバイ（ユニキャスト）信号は、特定のＨＤＭＩ端子に接続された機器の電源をスタンバイにするための信号である。本例では、特定のＨＤＭＩ端子はレコーダ１が接続されたＨＤＭＩ端子であり、レコーダ１に対してスタンバイ（ユニキャスト）信号が送信される。このように構成する理由は、レコーダ１の電力消費を低減するためである。つまり、チューナ２１からの入力が所定時間継続したことは、表示装置２にレコーダ１から（すなわちＨＤＭＩケーブル３経由で）映像信号が入力されていないことを意味する。よって、もはやレコーダ１の電源をＯＮにしておく必要がない可能性が高いと考えられる。そこで、本実施形態では、表示装置２において、ＨＤＭＩケーブル３経由の入力から、チューナ２１からの入力へ切り換えられた場合、スタンバイ（ユニキャスト）信号をレコーダ１に送信するように構成している。
【００６５】
ここで、スタンバイ（ユニキャスト）信号は、コントロール信号の送付先の情報（宛先アドレス）を含んでいる。コントロール信号がユニキャスト送信であるために、このコントロール信号の送付先として、入出力インターフェース２５に含まれる複数のコネクタの中の一つのコネクタのアドレスが指定されている。つまり、スタンバイ（ユニキャスト）信号には、ユニキャスト用の宛先アドレスが指定されている。なお、入出力インターフェース２５はＨＤＭＩに準拠した通信を行っていることから、コントローラ１４はＴＶ入力切替信号を受信したコネクタを特定できる。
【００６６】
レコーダ１は、受信したスタンバイ（ユニキャスト）信号に応じて後述の動作を実行する。
【００６７】
３．３  スタンバイ（ブロードキャスト）信号について
表示装置２は、ユーザからの操作に応じて（リモコン２０からの操作信号に応じて）、表示装置２の電源状態が「ＴＶ電源ＯＮ状態」から「ＴＶスタンバイ状態」に変更される。表示装置２は、その電源状態が「ＴＶ電源ＯＮ状態」から「ＴＶスタンバイ状態」に変更されると、スタンバイ（ブロードキャスト）信号を入出力インターフェース２５に接続する全ての機器に送信する。このように構成する理由は、ユーザの手間を省くためである。ユーザが意図して表示装置２の電源状態をスタンバイに変更した場合、多くの場合、レコーダ１などの表示装置２に接続する全機器の電源状態をＯＮにしておく必要がないと考えられる。そこで、本実施の形態では、表示装置２の電源状態がスタンバイに変更された場合、レコーダ１等に対して、スタンバイ（ブロードキャスト）信号を送信（ブロードキャスト）するようにしている。
【００６８】
ここで、スタンバイ（ブロードキャスト）信号は、コントロール信号の送付先の情報（宛先アドレス）を含んでいる。コントロール信号がブロードキャスト送信であるため、このコントロール信号の送付先として、入出力インターフェース２５に含まれる複数のコネクタの全てを示すアドレスが指定されている。つまり、表示装置２は、表示装置２に複数の機器が入出力インターフェース２５を介して接続されていれば、その複数の機器の各々に対して、スタンバイ（ブロードキャスト）信号を送信することになる。したがって、表示装置２は、レコーダ１にも、スタンバイ（ブロードキャスト）信号を送信する。なお、スタンバイ（ブロードキャスト）信号にはブロードキャスト用の宛先アドレスが指定され、含まれている。
【００６９】
なお、レコーダ１は、受信したスタンバイ（ブロードキャスト）信号に応じて、後述の動作を実行する。
【００７０】
４  スタンバイ信号受信時のレコーダの動作
図４のフローチャートを参照して、レコーダ１の電源状態が「電源ＯＮ状態」である場合にスタンバイ信号を受信したときの、レコーダ１（コントローラ１４）の動作を説明する。
【００７１】
コントローラ１４は、スタンバイ信号を受信すると（Ｓ１）、スタンバイ信号がユニキャスト送信されたものか否かを判別する（Ｓ２）。具体的に、コントローラ１４は、スタンバイ信号の宛先アドレスを確認して、ユニキャスト送信であるか否かを判断する。
【００７２】
コントローラ１４は、スタンバイ信号がユニキャスト送信されたものでない場合（すなわち、ブロードキャスト送信されたものである場合）、レコーダ１の電源状態を、スタンバイ状態に変更する（Ｓ５）。なお、スタンバイ信号がブロードキャスト送信されたものである場合、レコーダ１の電源状態をスタンバイ状態に変更する理由は、以下の通りである。
【００７３】
表示装置２からスタンバイ（ブロードキャスト）信号が送信されるタイミングは、ユーザの操作によって表示装置２の電源状態が「ＴＶスタンバイ状態」にされたタイミングである。つまり、ユーザは、表示装置２上での映像の視聴を終了したと考えられ、レコーダ１（特に、ディスクトレイ１９１）を操作する可能性は低いと考えられる。よって、レコーダ１がスタンバイ状態に変更されて、ディスクトレイ１９１が突出位置から収納位置に移動されても、ユーザの利便性には影響ないと考えられる。よって、本実施形態では、レコーダ１は、スタンバイ（ブロードキャスト）信号を受信したときは、ディスクトレイ１９１が突出（オープン）されているか否かに限らず、電源状態を「スタンバイ状態」に変更する。その後、コントローラ１４はレコーダ１の各部に対する電源の供給をＯＦＦする。
【００７４】
一方、ステップＳ２で、スタンバイ信号がユニキャスト送信されたものである場合、コントローラ１４は、ディスクトレイ１９１が収納位置に存在するか否かを判別する（Ｓ３）。つまり、コントローラ１４は、ディスクトレイ１９１がクローズ状態であるか否かを判別する。具体的には、コントローラ１４は、ドライブ装置１９に設けられたセンサを用いてディスクトレイ１９１が収納位置に存在するか否かを判別する。
【００７５】
ディスクトレイ１９１が収納位置に存在する場合、コントローラ１４は、レコーダ１の電源状態をスタンバイ状態に変更する（Ｓ５）。
【００７６】
ディスクトレイ１９１が収納位置に存在しない場合（Ｓ３でＮＯ）、コントローラ１４はレコーダ１の電源状態を変更しない（Ｓ４）。すなわち、レコーダ１の電源状態を現状のまま維持する。したがって、レコーダ１は、ディスクトレイ１９１が突出位置に存在する場合（ディスクトレイ１９１がオープン状態である場合）において、電源状態をスタンバイ状態することによって、ディスクトレイ１９１を収納しないようにする。これによって、ユーザが光ディスクの交換途中にディスクトレイ１９１がレコーダ１により強制的に収納されてしまい、ユーザの意図しない状況を招くことを防止でき、ユーザにとって好ましくない状況を招くことを防止できる。
【００７７】
５．まとめ
本実施の形態のレコーダ１は、表示装置２と接続可能である。レコーダ１は、装置本体に出し入れ可能に設けられ、突出位置と収納位置との間を移動可能なディスクトレイ１９１と、ディスクトレイ１９１が収納位置に存在するか否かを検知するコントローラ１４と、表示装置２からスタンバイ（ユニキャスト）信号を受け付けるコントローラ１４と、電源状態を制御するコントローラ１４と、電源状態が「スタンバイ状態」に変更された場合、ディスクトレイ１９１を収納位置に位置させるよう制御するコントローラ１４と、を備える。そしてコントローラ１４は、スタンバイ（ユニキャスト）信号を受け付けた場合、ディスクトレイ１９１が収納位置に存在するか否かに応じて、電源状態を「スタンバイ状態」に変更するか否かを制御する。
【００７８】
このようにすれば、表示装置２からスタンバイ（ユニキャスト）信号を受け付けた場合において、ディスクトレイ１９１が収納位置に移動されることによって、ユーザが意図しないディスクトレイ１９１の収納を防止できる。
【００７９】
第２の実施の形態
第２の実施の形態では、第１の実施形態と異なる箇所のみを説明し、第１の実施形態と同様の構成については説明を省略する。第１の実施形態とは、システム構成は同じである。以下では、スタンバイ信号を受信時のレコーダ１の別の動作例を説明する。
【００８０】
図５は、本実施形態におけるスタンバイ信号受信した時のレコーダ１の動作を示すフローチャートである。
【００８１】
第２の実施の形態のステップＳ１１〜Ｓ１２の動作は、第１の実施の形態の図４のステップＳ１〜Ｓ２の動作と同様である。本実施形態の動作は、ステップＳ１３以後の動作が第１の実施の形態のものと異なる。以下、ステップＳ１３以後の動作を説明する。
【００８２】
コントローラ１４は、ディスクトレイ１９１が収納位置に存在するか否かを判別する（Ｓ１３）。すなわち、コントローラ１４は、ディスクトレイ１９１がクローズ状態か否かを判別する。コントローラ１４は、ディスクトレイ１９１が収納位置に存在しないと判断した場合、ディスクトレイ１９１が収納位置に移動されるまで待機する（Ｓ１３でＮＯ）。すなわち、コントローラ１４は、ユーザによりトレイ用釦１９２が操作されることで、ディスクトレイ１９１が収納位置に収納されるのを待つ。これにより、ユーザが意図しないにもかかわらず、ディスクトレイ１９１が収納されてしまうことを防止できる。
【００８３】
ディスクトレイ１９１が収納位置に収納されると（Ｓ１３でＹＥＳ）、コントローラ１４は、ドライブ装置１９に光ディスク４が収納されているか否かを判別する（Ｓ１４）。
【００８４】
コントローラ１４は、光ディスク４がドライブ装置１９に収納されていない場合、レコーダ１の電源状態をスタンバイ状態に変更する（Ｓ１６）。
【００８５】
一方、光ディスクがドライブ装置１９に収納されている場合、コントローラ１４は、レコーダ１の電源状態を変更しない（Ｓ１５）。すなわち、レコーダ１の電源状態を現状のまま維持する。光ディスクがドライブ装置１９に収納された状況では、その光ディスクがユーザにより直ぐに再生される可能性が高いと考えられる。よって、本実施形態のように、光ディスクがドライブ装置１９に収納されている場合にレコーダ１の電源ＯＮの状態を維持することで、ユーザにより再生指示があったときに、コントローラ１４は光ディスクの再生を迅速に開始でき、ユーザの利便性を向上できる。
【００８６】
本実施の形態のレコーダ１は、表示装置２と接続可能であり、電源状態として省電力のために一部の回路のみに電源が供給されるスタンバイ状態を有するレコーダである。レコーダ１は、装置本体に出し入れ可能に設けられ、突出位置と収納位置との間を移動可能なディスクトレイ１９１と、ディスクトレイ１９１を駆動するドライブ装置１９と、ディスクトレイ１９１が収納位置にあるか否かを検知するセンサ１９３と、表示装置２から種々のコントロール信号を受信する入出力インターフェース１５と、レコーダ１の電源状態を制御するとともに、レコーダ１の電源状態がスタンバイ状態に変更された場合、ディスクトレイ１９１を収納位置に位置させるようにドライブ装置１９を制御するコントローラ１４とを備える。コントローラ１４は、入出力インターフェース１５がスタンバイ（ユニキャスト）信号を受信したときに、センサ１９３の検出結果に応じて電源状態をスタンバイ状態に変更するか否かを決定する。
【００８７】
以上の構成により、レコーダ１は、ユーザの意図しないディスクトレイ１９１の収納を防止しつつ電力消費の削減を実現し、さらに、光ディスクの迅速な再生動作の開始を実現できる。
【００８８】
（用語の対応）
レコーダ１は、外部装置と接続可能な電子機器および表示装置と接続可能な光ディスク再生装置の一例であり、表示装置２は外部装置の一例である。ディスクトレイ１９１は移動部材の一例である。センサ１９３は検出手段の一例である。コントローラ１４は電源制御手段および制御手段の一例である。受信部１６は指示受信手段の一例である。スタンバイ（ユニキャスト）」信号は、所定のコントロール信号および第１のコントロール信号の一例である。ＴＶ入力切替信号は第２のコントロール信号の一例である。
【００８９】
他の実施形態
本発明の実施の形態として、上記の実施形態を示したが、本発明は上記の実施の形態に限られない。例えば、以下の形態も考えられる。
【００９０】
上記の実施の形態では、光ディスクに対する映像データの記録再生が可能なレコーダ１に適用した例を説明したが、これに限られず、本発明の思想を、光ディスクからの映像データの再生のみが可能なプレーヤに適用することも可能である。
【００９１】
また、上記の実施の形態では、コントローラ１４を一つのＩＣで実現した。しかし、これに限られず、複数のＩＣで実現してもよい。なお、画像処理部２４についても同様に、複数のＩＣで実現してもよい。
【００９２】
また、上記の実施の形態では、電源の状態として３種類の電源状態を設定した。しかし、より多くの種類の電源の状態を設定してもよい。
【００９３】
すなわち、本発明は、上記実施の形態に限られず、種々の形態に適用可能である。
【産業上の利用可能性】
【００９４】
本発明は、外部装置と接続可能であり、外部装置からコントロール信号を受信することが可能な電子機器、例えば、表示装置に接続可能な光ディスク再生装置や光ディスク録画装置に適用可能である。
【符号の説明】
【００９５】
１  レコーダ
２  表示装置
３  ＨＤＭＩケーブル
４  光ディスク
５  アンテナ
６  ＨＤドライブ
１０、２０  リモコン
１１  チューナ
１２  フラッシュメモリ
１３  バッファメモリ
１４  コントローラ
１５  入出力インタフェース
１６  受信部
１７  アンテナ用端子
１８  電源
１９  ドライブ装置
２１  チューナ
２２  フラッシュメモリ
２３  バッファメモリ
２４  画像処理部
２４１  セレクタ
２５  入出力インタフェース
２６  受信部
２７  アンテナ用端子
２８  電源
２９  モニタ
１９１  ディスクトレイ
１９２  トレイ用釦
【図１】
2010103799.tif 000003
【図２】
2010103799.tif 000004
【図３】
2010103799.tif 000005
【図４】
2010103799.tif 000006
【図５】
2010103799.tif 000007
【手続補正書】
【提出日】平成22年8月5日(2010.8.5)
【手続補正１】
【補正対象書類名】特許請求の範囲
【補正対象項目名】全文
【補正方法】変更
【補正の内容】
【特許請求の範囲】
【請求項１】
外部装置と接続可能であり、電源状態として省電力のために一部の回路のみに電源が供給されるスタンバイ状態を有する電子機器であって、
当該電子機器の本体に出し入れ可能に設けられ、突出位置と収納位置との間を移動可能な移動部材と、
前記移動部材を駆動させる駆動手段と、
前記移動部材が収納位置にあるか否かを検出する検出手段と、
前記外部装置から種々のコントロール信号を受信する通信手段と、
前記機器の電源状態を制御する電源制御手段と、
前記電源制御手段で当該電子機器の電源状態がスタンバイ状態に変更された場合、前記移動部材を収納位置に位置させるように前記駆動手段を制御する制御手段と、
を備え、
前記電源制御手段は、前記通信手段が所定のコントロール信号を受信した場合、前記検出手段の検出結果に応じて前記電源状態をスタンバイ状態に変更するか否かを制御する、
電子機器。
【請求項２】
前記電源制御手段は、前記通信手段が所定のコントロール信号を受信したときに、
前記移動部材が収納位置にある場合、前記電源状態をスタンバイ状態に変更し、
前記移動部材が収納位置にない場合、前記電源状態を現状の状態に維持する、
請求項１に記載の電子機器。
【請求項３】
前記所定のコントロール信号はユニキャストで送信された信号である、請求項１に記載の電子機器。
【請求項４】
ユーザの指示を受け付ける指示受信手段をさらに備え、
前記制御手段は、前記指示受信手段が前記移動体を突出位置に移動させる指示を受け付けたときに、前記外部装置の入力の切替えを指示するコントロール信号を前記外部装置に送信し、
その後に、前記通信手段が前記外部装置から前記所定のコントロール信号を受信する、
請求項１に記載の電子機器。
【請求項５】
表示装置と接続可能であり、電源状態として省電力のために一部の回路のみに電源が供給されるスタンバイ状態を有する光ディスク再生装置であって、
光ディスクを載置又は保持し、当該光ディスク再生装置の本体に出し入れ可能に設けられ、突出位置と収納位置との間を移動可能なディスクトレイと、
ディスクトレイを駆動する駆動手段と、
前記ディスクトレイが収納位置にあるか否かを検知する第１の検出手段と、
前記表示装置から種々のコントロール信号を受信する通信手段と、
光ディスク再生装置の電源状態を制御する電源制御手段と、
前記電源制御手段で光ディスク再生装置の電源状態がスタンバイ状態に変更された場合、前記ディスクトレイを収納位置に位置させるように前記駆動手段を制御する制御手段と、を備え、
前記電源制御手段は、前記通信手段が所定のコントロール信号を受信したときに、前記第１の検出手段の検出結果に応じて前記電源状態をスタンバイ状態に変更するか否かを決定する、
光ディスク再生装置。
【請求項６】
前記ディスクトレイが光ディスクを載置又は保持しているか否かを検出する第２の検出手段をさらに備え、
前記電源制御手段は、前記通信手段が前記所定のコントロール信号を受信したときに、前記第１の検出手段により前記移動部材が収納位置にあると判断された場合に、前記第２の検出手段の検出結果に応じて当該光ディスク再生装置の電源状態をスタンバイ状態に変更するか否かを制御する、
請求項５に記載の光ディスク再生装置。
【請求項７】
前記所定のコントロール信号は、ユニキャストで送信された信号である、請求項５に記載の光ディスク再生装置。
【請求項８】
ユーザの指示を受け付ける指示受信手段をさらに備え、
前記制御手段は、前記指示受信手段が前記ディスクトレイを突出位置に移動させる指示を受け付けたときに、前記表示装置の映像入力の切替えを指示するコントロール信号を前記表示装置に送信し、
その後に、前記通信手段が前記表示装置から前記所定のコントロール信号を受信する、
請求項５に記載の光ディスク再生装置。
【請求項９】
表示装置と、前記表示装置に接続可能な光ディスク再生装置とを含む光ディスク再生システムであって、
前記表示装置は、
前記光ディスク再生装置との間で種々のコントロール信号の通信を行なう第１の通信手段と、
前記光ディスク再生装置から映像信号を受信する第１の受信手段と、
前記光ディスク再生装置と異なる映像ソースから映像信号を受信する第２の受信手段と、
少なくとも前記第１及び第２の受信手段の中から１つの受信手段を選択し、選択した受信手段からの映像信号を出力する選択手段と、
前記選択手段を制御する選択制御手段と、
前記選択制御手段によって、選択手段が選択する出力が、前記第１の受信手段からの映像信号から、前記第２の受信手段からの映像信号に切り換えられた場合、前記第１の通信手段を介して前記光ディスク再生装置に第１のコントロール信号を送信する第１の送信手段と、を備え、
前記光ディスク再生装置は、
前記表示装置との間で前記種々のコントロール信号の通信を行なう第２の通信手段と、
前記光ディスク再生装置の本体に出し入れ可能に設けられ、突出位置と収納位置との間を移動可能なディスクトレイと、
前記ディスクトレイによって収納された光ディスクから映像信号を再生し、前記表示装置に出力する再生手段と、
ユーザによる前記再生手段の再生動作を停止させる指示または前記ディスクトレイを突出位置に移動させる指示を受信する指示受信手段と、
前記ディスクトレイが収納位置にあるか否かを検出する検出手段と、
前記光ディスク再生装置の電源状態を制御する電源制御手段と、
前記電源制御手段により電源状態がスタンバイ状態に変更された場合、前記ディスクトレイを収納位置に位置させるよう制御する制御手段と、
を備え、
前記光ディスク再生装置の電源制御手段は、前記表示装置から前記第１のコントロール信号を受信した場合、前記検出手段の検出結果に応じて、光ディスク再生装置の電源状態をスタンバイ状態に変更するか否かを制御し、
前記光ディスク再生装置の制御手段は、前記指示受信手段が前記再生動作を停止させる指示またはディスクトレイを突出位置に移動させる指示を受信したときに、前記第２の通信手段を介して前記表示装置に第２のコントロール信号を送信し、
前記表示装置の選択制御手段は、前記選択手段によって前記第１の受信手段が選択されている状態で、前記光ディスク再生装置から前記第２のコントロール信号を受信した場合、前記第２の受信手段を選択するように前記選択手段を制御する、
光ディスク再生システム。
【請求項１０】
前記第１のコントロール信号はユニキャストで送信された信号である、請求項９に記載の光ディスク再生システム。
【手続補正２】
【補正対象書類名】明細書
【補正対象項目名】全文
【補正方法】変更
【補正の内容】
【発明の詳細な説明】
【技術分野】
【０００１】
本発明は、外部装置（例えば、表示装置）と接続可能な電子機器（例えば、光ディスク再生装置）に関し、特に、外部装置からコントロール信号を受信することが可能な電子機器に関する。
【背景技術】
【０００２】
特許文献１は、光ディスクを再生可能な映像再生装置を開示する。この映像再生装置は、映像表示装置（例えば、ＴＶ）とＨＤＭＩ（High-Definition Multimedia Interface）ケーブルを介して接続可能に構成されており、映像表示装置との間でコントロール信号を送受信可能である。
【０００３】
非特許文献１に、そのようなコントロール信号の例が記載されている。非特許文献１には、例えば、コントロール信号の一例として、ＴＶの外部入力を、ＨＤＭＩ端子に接続された機器の入力（以下「ＨＤＭＩ入力」という。）から、アンテナ端子の入力（以下「アンテナ入力」という。）に切り換えるための信号（以下「ＴＶ入力切替信号」という。）が開示されている。
【０００４】
そのコントロール信号は、例えば以下のように使用される。ＴＶとプレーヤはＨＤＭＩケーブルで接続されており、再生動作中、プレーヤはその内部に収納した光ディスクの映像信号を再生し、ＨＤＭＩケーブルを介してＴＶに出力する。この状態で、プレーヤに対するユーザの指示によって再生処理が停止されると、プレーヤはＴＶ入力切替信号をＴＶに送信する。ＴＶは、プレーヤからＴＶ入力切替信号を受信すると、外部入力をＨＤＭＩ入力からアンテナ入力に切り換える。
【０００５】
また、非特許文献１には、別の例として、ＴＶの全てのＨＤＭＩ端子に接続された機器の電源を、省電力のために一部の回路のみに電源が供給されるスタンバイ状態に制御するためのコントロール信号が開示されている。このコントロール信号は、全てのＨＤＭＩ端子に接続された機器に対して送信（ブロードキャスト）されることから、以下、「スタンバイ（ブロードキャスト）信号」と称する。
【０００６】
非特許文献１には、さらに別の例として、特定のＨＤＭＩ端子に接続された機器の電源のみをスタンバイ状態にするためのコントロール信号が記載されている。このコントロール信号は特定のＨＤＭＩ端子に接続された機器に対してのみ送信（ユニキャスト）されることから、以下、「スタンバイ（ユニキャスト）信号」と称する。
【０００７】
また、一般に映像再生装置は光ディスクを収納するディスクドライブユニットを有する。ディスクドライブユニットは、ユーザの操作に応じて、光ディスクを載置するディスクトレイを装置本体から出し入れ可能に構成されている。
【先行技術文献】
【特許文献】
【０００８】
【特許文献１】特開２００７−２７４２９６号公報
【非特許文献】
【０００９】
【非特許文献１】ＨＤＭＩ  Ｓｐｅｃｉｆｉｃａｔｉｏｎ  １．３ａ  （ＣＥＣ  Ｓｕｐｐｌｅｍｅｎｔ部）
【発明の概要】
【発明が解決しようとする課題】
【００１０】
上記のような従来の映像再生装置には、それに接続する表示装置と連動して例えば以下のように動作するものがある。
【００１１】
映像再生装置はそれが接続する表示装置から所定のコントロール信号を受信することができる。そして、ディスクトレイが装置本体から突出している状態（ディスクトレイのオープン状態）で、表示装置から、所定のコントロール信号として、電源状態をＯＮ状態からスタンバイ状態にするためのスタンバイ信号を受信すると、映像再生装置は、装置内の各部に対して電源の供給を停止する。その際、映像再生装置では、ディスクトレイを本体から突出させておく必要がないため、ディスクトレイを収納するようにディスクドライブに指示を出し、その後、ディスクドライブへの電力の供給を停止する。このような動作を行う映像再生装置では次のような問題がある。
【００１２】
ユーザが光ディスクを交換する際、映像再生装置のディスクトレイをオープンにし、その後、ディスクトレイに光ディスクを載置する。その操作中に、表示装置から映像再生装置へスタンバイ信号が送信されると、映像再生装置は、このスタンバイ信号にしたがいディスクトレイを装置本体に収納する。この場合、ユーザが光ディスクの交換作業を終了する前であっても、ディスクトレイが装置本体内に強制的に収納されてしまい、ユーザが交換作業を継続できなくなるおそれがある。
【００１３】
このように、ユーザがディスクを交換している途中に、録画再生装置側主導でディスクトレイが装置本体内に収納されてしまうと、ユーザは意図した作業を続行できず、ユーザの利便性を害するという事態を招くおそれがある。
【００１４】
本発明は、上記課題を解決するためになされたものであり、外部装置（例えば、表示装置）からのコントロール信号に基づき制御可能な電子機器（例えば、光ディスク再生装置）であって、外部装置から所定のコントロール信号を受信したときに、ユーザの利便性を損なわずに、コントロール信号に応じた動作を実行する装置を提供することを目的とする。
【課題を解決するための手段】
【００１５】
本発明の第１の態様において、外部装置と接続可能であり、電源状態として省電力のために一部の回路のみに電源が供給されるスタンバイ状態を有する電子機器が提供される。電子機器は、その本体に出し入れ可能に設けられ、突出位置と収納位置との間を移動可能な移動部材と、移動部材を駆動させる駆動手段と、移動部材が収納位置にあるか否かを検出する検出手段と、外部装置から種々のコントロール信号を受信する通信手段と、電子機器の電源状態を制御する電源制御手段と、電源制御手段で電子機器の電源状態がスタンバイ状態に変更された場合、移動部材を収納位置に位置させるように駆動手段を制御する制御手段と、を備える。電源制御手段は、通信手段が所定のコントロール信号を受信した場合、検出手段の検出結果に応じて電源状態をスタンバイ状態に変更するか否かを制御する。
【００１６】
上記の構成により、電子機器は、外部装置から所定のコントロール信号を受け付けた場合において、移動部材が収納位置に存在するか否かに応じて、電源状態をスタンバイ状態に変更するか否かを制御できる。これによって、電源状態がスタンバイ状態にされることで、移動部材が収納位置に移動させられて、ユーザが意図しないで移動部材が収納されることを防止できる。
【００１７】
本発明の第２の態様において、表示装置と接続可能であり、電源状態として省電力のために一部の回路のみに電源が供給されるスタンバイ状態を有する光ディスク再生装置が提供される。光ディスク再生装置は、その本体に出し入れ可能に設けられ、突出位置と収納位置との間を移動可能なディスクトレイと、ディスクトレイを駆動する駆動手段と、ディスクトレイが収納位置にあるか否かを検知する第１の検出手段と、表示装置から種々のコントロール信号を受信する通信手段と、光ディスク再生装置の電源状態を制御する電源制御手段と、電源制御手段で光ディスク再生装置の電源状態がスタンバイ状態に変更された場合、ディスクトレイを収納位置に位置させるように駆動手段を制御する制御手段と、を備える。電源制御手段は、通信手段が所定のコントロール信号を受信したときに、第１の検出手段の検出結果に応じて電源状態をスタンバイ状態に変更するか否かを決定する。
【００１８】
上記の構成により、光ディスク再生装置は、表示装置から所定のコントロール信号を受け付けた場合において、ディスクトレイが収納位置に存在するか否かに応じて、電源状態をスタンバイ状態に変更するか否かを制御できる。これによって、電源状態がスタンバイ状態にされることで、ディスクトレイが収納位置に移動させられて、ユーザが意図しないで移動部材が収納されることを防止できる。
【００１９】
さらに、光ディスク再生装置は、ディスクトレイが光ディスクを載置又は保持しているか否かを検出する第２の検出手段を備えてもよい。電源制御手段は、通信手段が所定のコントロール信号を受信したときに、第１の検出手段により移動部材が収納位置にあると判断された場合に、第２の検出手段の検出結果に応じて光ディスク再生装置の電源状態をスタンバイ状態に変更するか否かを制御してもよい。これによって、より確実にユーザが意図しないで移動部材が収納されることを防止できる。
【００２０】
本発明の第３の態様において、表示装置と、表示装置に接続可能な光ディスク再生装置とを含む光ディスク再生システムが提供される。表示装置は、光ディスク再生装置との間で種々のコントロール信号の通信を行なう第１の通信手段と、光ディスク再生装置から映像信号を受信する第１の受信手段と、光ディスク再生装置と異なる映像ソースから映像信号を受信する第２の受信手段と、少なくとも第１及び第２の受信手段の中から１つの受信手段を選択し、選択した受信手段からの映像信号を出力する選択手段と、選択手段を制御する選択制御手段と、選択制御手段によって、選択手段が選択する出力が、第１の受信手段からの映像信号から、第２の受信手段からの映像信号に切り換えられた場合、第１の通信手段を介して光ディスク再生装置に第１のコントロール信号を送信する第１の送信手段とを備える。光ディスク再生装置は、表示装置との間で種々のコントロール信号の通信を行なう第２の通信手段と、光ディスク再生装置の本体に出し入れ可能に設けられ、突出位置と収納位置との間を移動可能なディスクトレイと、ディスクトレイによって収納された光ディスクから映像信号を再生し、表示装置に出力する再生手段と、ユーザによる再生手段の再生動作を停止させる指示またはディスクトレイを突出位置に移動させる指示を受信する指示受信手段と、ディスクトレイが収納位置にあるか否かを検出する検出手段と、光ディスク再生装置の電源状態を制御する電源制御手段と、電源制御手段により電源状態がスタンバイ状態に変更された場合、ディスクトレイを収納位置に位置させるよう制御する制御手段と、を備える。光ディスク再生装置の電源制御手段は、表示装置から第１のコントロール信号を受信した場合、検出手段の検出結果に応じて、光ディスク再生装置の電源状態をスタンバイ状態に変更するか否かを制御する。光ディスク再生装置の制御手段は、指示受信手段が再生動作を停止させる指示またはディスクトレイを突出位置に移動させる指示を受信したときに、第２の通信手段を介して表示装置に第２のコントロール信号を送信する。表示装置の選択制御手段は、選択手段によって第１の受信手段が選択されている状態で、光ディスク再生装置から第２のコントロール信号を受信した場合、第２の受信手段を選択するように選択手段を制御する。
【００２１】
上記第３の態様により、光ディスク再生装置が、ユーザから光ディスク再生装置の再生動作の停止またはディスクトレイのオープンの指示を受けた場合に、表示装置に対して映像入力の切替えを指示するコントロール信号（第２のコントロール信号）を送信する機能を有し、表示装置が、そのコントロール信号に応じて映像入力を切り替えるとともに光ディスク再生装置をスタンバイ状態に制御するコントロール信号（第１のコントロール信号）を送信する機能を有する場合に、ユーザがディスクを交換したいのにもかかわらず、交換できないといった不都合を軽減できる。
【発明の効果】
【００２２】
本発明によれば、電子機器（光ディスク再生装置）は、外部装置（表示装置）から所定のコントロール信号を受信した場合において、移動部材（ディスクトレイ）が収納位置に存在するか否かに応じて、電源状態をスタンバイ状態に変更するか否かを制御できる。これによって、電源状態がスタンバイ状態にされることで、移動部材が収納位置に移動させられて、ユーザが意図しないで移動部材（ディスクトレイ）が収納されることを防止できる。
【図面の簡単な説明】
【００２３】
【図１】本発明の実施の形態の表示システムの構成を示す図
【図２】第１の実施の形態のレコーダの構成例を示す図
【図３】第１の実施の形態の表示装置の構成例を示す図
【図４】第１の実施の形態のレコーダの動作を説明するためのフローチャート
【図５】第２の実施の形態のレコーダの動作を説明するためのフローチャート
【発明を実施するための形態】
【００２４】
以下、添付の図面を参照して本発明の一実施形態を説明する。以下に説明する実施形態では、本発明の思想をレコーダに適用した例を説明する。なお、レコーダは電源状態の１つとして電力消費を低減するためのスタンバイ状態を有し、そのスタンバイ状態では、ディスクトレイは収納位置に配置されるように制御される。
【００２５】
第１の実施形態では、レコーダは、表示装置からスタンバイ信号を取得した場合において、ディスクトレイがレコーダ本体から突出した状態である場合、レコーダの電源状態をスタンバイ状態にしないように制御する。
【００２６】
第２の実施形態では、レコーダは、表示装置からスタンバイ信号を取得した場合において、ディスクトレイがレコーダ本体に収納されたか否か、及び、収納されたディスクトレイ上にディスクが存在するか否かの２つの条件に応じて、レコーダの電源状態をスタンバイ状態にするか否かを判断する。
【００２７】
第１の実施の形態
１  システム構成
１．１  レコーダと表示装置の接続
図１は、レコーダと表示装置で構成される表示システムを示した図である。レコーダ１は表示装置２とＨＤＭＩケーブル３を介して接続される。ＨＤＭＩケーブル３を介して、レコーダ１と表示装置２との間でコントロール信号と映像音声信号が送受信される。本実施の形態では、レコーダ１と表示装置２の間の情報交換（データの送受信）は、ＨＤＭＩケーブル３等を用いた有線による通信で実現したが、これに限られず、無線による通信で実現してもよい。レコーダ１はリモコン１０からの操作信号に応じた動作を実行可能であり、表示装置２はリモコン２０からの操作信号に応じた動作を実行可能である。
【００２８】
レコーダ１は、その内部に収納された光ディスク４から映像信号を読み出して、表示装置２に出力する。表示装置２は、レコーダ１から入力した映像信号を表示する。
【００２９】
１．２  レコーダの構成
図２を参照し、レコーダ１の詳細な構成を説明する。レコーダ１は、チューナ１１、フラッシュメモリ１２、バッファメモリ１３、コントローラ１４、入出力インターフェース１５、受信部１６、アンテナ用端子１７、電源１８及びドライブ装置１９を備える。
【００３０】
チューナ１１は、アンテナ５で受信した放送波をアンテナ用端子１７を介して入力する。チューナ１１は、コントローラ１４によって指定された特定の周波数の映像信号をコントローラ１４に送信し、これにより、コントローラ１４は、放送波に含まれる特定の周波数の映像信号をＨＤ（ハードディスク）ドライブ６に記録できる。またコントローラ１４は、特定の周波数の映像信号を表示装置２に出力できる。
【００３１】
フラッシュメモリ１２は、コントローラ１４が実行するプログラム等を記憶する。バッファメモリ１３は、コントローラ１４で処理を実行する際のワークメモリとして用いられる。バッファメモリ１３は例えばＤＲＡＭで実現可能である。
【００３２】
入出力インターフェース１５は、レコーダ１と表示装置２間の接続を可能にするインターフェースである。入出力インターフェース１５は、レコーダ１と表示装置２との間でコントロール信号や映像信号のやり取りを可能にしている。入出力インターフェース１５は、表示装置２から受信した信号をコントローラ１４に送信し、コントローラ１４から受信した信号を表示装置２に送信する。本例では、入出力インターフェース１５は、ＨＤＭＩ（High Definition Multimedia Interface）に準拠して通信を行うが、コントロール信号や映像信号のやり取りを可能であれば、他のインタフェース規格に準拠してもよい。
【００３３】
受信部１６は、リモコン１０からの操作信号を受信して、コントローラ１４に送信する。受信部１６は、例えば、赤外線センサで実現可能である。リモコン１０は、送信部１０１と操作部１０２とを備えている。操作部１０２は、リモコン１０の外装に設けられた複数の操作部材（ボタン、ダイヤル等）を含む。操作部１０２は、ユーザによって任意の操作部材が操作されると、この操作された操作部材に対応する操作信号を、送信部１０１によってレコーダ１に送信する。これによって、レコーダ１はユーザの操作を認識できる。
【００３４】
電源１８は、レコーダ１の各部に電力を供給する電源である。例えば、電源１８はコントローラ１４に電力を供給する。コントローラ１４は、電源１８によって供給された電力をレコーダ１の各部に供給する。コントローラ１４は、電源の状態に応じて、電力をレコーダ１の一部または全ての回路に供給する。これによって、本実施の形態では、不必要な回路に電力が供給されないようにして、省電力を実現している。電源の状態に関しては、後述する。
【００３５】
ドライブ装置１９は、光ディスク４を載置又は保持するディスクトレイ１９１を備え、ディスクトレイ１９１に収納された光ディスク４から映像信号を読み出す。ディスクトレイ１９１は、レコーダ１本体から突出した状態または収納した状態を取り得るよう移動可能に構成される。つまり、ディスクトレイ１９１は、レコーダ１本体から出し入れ可能に構成され、光ディスク４を載置した状態で突出位置と収納位置間を移動可能である。
【００３６】
レコーダ１には、ユーザの操作によって、ディスクトレイ１９１の出し入れを制御するトレイ用釦１９２が設けられている。トレイ用釦１９２がユーザによって操作されると、ディスクトレイ１９１が突出位置または収納位置に移動される。具体的には、トレイ用釦１９２はユーザにより操作されると、トレイ操作信号をコントローラ１４に出力する。コントローラ１４はトレイ操作信号を受信すると、ドライブ装置１９にトレイ操作信号を出力する。ドライブ装置１９はトレイ操作信号に基づいて、ディスクトレイ１９１が収納位置にあれば、それを突出位置に移動させるようにディスクトレイ１９１の駆動手段（モーター等）を制御する。一方、ディスクトレイ１９１が突出位置にあれば、ドライブ装置１９は、それを収納位置に移動させるようにディスクトレイ１９１の駆動手段を制御する。これによって、ユーザがトレイ用釦１９２を操作することで、ディスクトレイ１９１の出し入れを行うことが可能になる。なお、コントローラ１４は、ディスクトレイ１９１が突出位置に存在するか、収納位置に存在するかを示す情報を、検知できるように構成されている。具体的には、ドライブ装置１９は、ディスクトレイ１９１が収納されたことを検知するセンサ１９３を有している。センサ１９３で検知された情報は、コントローラ１４からの要求信号に応じて、ドライブ装置１９からコントローラ１４に送信される。これによって、コントローラ１４は、ディスクトレイ１９１が収納位置に存在することを検知できる。
【００３７】
なお、コントローラ１４は、ディスクトレイ１９１の位置を示す情報を、フラッシュメモリ１２に記憶してもよい。これによりコントローラ１４は、フラッシュメモリ１２に記憶した情報に基づきディスクトレイ１９１の位置を認識してもよい。例えば、コントローラ１４は、ディスクトレイ１９１が突出位置に存在する場合、トレイ用釦１９２からトレイ操作信号を受け付けると、ディスクトレイ１９１の位置を示す情報を収納位置に変更して、フラッシュメモリ１２に記憶する。そして、コントローラ１４は、ドライブ装置１９にトレイ操作信号を送信する。
【００３８】
ドライブ装置１９は、ディスクトレイ１９１が突出位置から収納位置に収納されると、ディスクトレイ１９１に載置可能な光ディスク４が収納されたか否かを検出する。具体的には、ドライブ装置１９は、光ピックアップで光ディスクが存在すべき場所に光を照射し、その照射光に基づく情報が取得できたか否かに応じて、光ディスクが収納されたか否かを検出する。なお、ドライブ装置１９に光ディスクが存在するか否かは、電気的でなく、機械的に検出することも可能である。例えば、ドライブ装置１９のスピンドル機構に、光ディスクが収納された際に押下されるスイッチを設ければよい。
【００３９】
なお、ドライブ装置１９は、一般的なディスクレコーダなどに用いられる技術であるため、上記実施の形態以外にも様々な技術を用いることが可能である。
【００４０】
コントローラ１４はレコーダ１の各部を制御する。また、コントローラ１４は、ドライブ装置１９から出力された映像信号をデコードできる。さらに、コントローラ１４は、映像信号に画像処理を施し、モニタに表示可能な表示画像に変換することも可能である。コントローラ１４は、マイクロコンピュータで構成してもよいし、ハードワイヤードな回路で構成してもよい。コントローラ１４は各種処理を実行可能であり、その詳細は後述する。
【００４１】
１．３  表示装置の構成
図３を参照し、表示装置２の詳細な構成を説明する。表示装置２は、チューナ２１、フラッシュメモリ２２、バッファメモリ２３、画像処理部２４、入出力インターフェース２５、受信部２６、アンテナ用端子２７、電源２８及びモニタ２９を備える。
【００４２】
チューナ２１は、アンテナ５で受信した放送波をアンテナ用端子２７を介して入力する。チューナ２１は、画像処理部２４によって指定された特定の周波数の映像信号を画像処理部２４に送信し、これにより、画像処理部２４は、放送波に含まれる特定の周波数の映像信号をモニタ２９に表示させることができる。
【００４３】
フラッシュメモリ２２は、画像処理部２４が実行するプログラム等を記憶する。バッファメモリ２３は、画像処理部２４で処理を実行する際のワークメモリとして用いられる。バッファメモリ２３は例えばＤＲＡＭで実現可能である。
【００４４】
入出力インターフェース２５は、表示装置２とレコーダ１間の接続を可能にするインターフェースである。入出力インターフェース２５は、表示装置２の画像処理部２４とレコーダ１のコントローラ１４との間でＨＤＭＩ信号に準拠してコントロール信号や映像信号のやり取りを可能にしている。入出力インターフェース２５は、レコーダ１から受信した信号を画像処理部２４に送信し、画像処理部２４から受信した信号をレコーダ１に送信する。入出力インターフェース２５は複数のコネクタを含み、複数の機器と接続が可能となっている。
【００４５】
受信部２６は、リモコン２０からの操作信号を受信して、画像処理部２４に送信する。受信部２６は、例えば、赤外線センサで実現可能である。リモコン２０は、送信部２０１と操作部２０２とを備えている。操作部２０２は、リモコン２０の外装に設けられた複数の操作部材（ボタン、ダイヤル等）を含む。操作部２０２は、ユーザによって任意の操作部材が操作されると、この操作された操作部材に対応する操作信号を、送信部２０１によって表示装置２に送信する。これによって、表示装置２はユーザの操作を認識できる。
【００４６】
電源２８は、表示装置２の各部に電力を供給する電源である。例えば、電源２８は画像処理部２４に電力を供給する。画像処理部２４は、電源２８によって供給された電力を、表示装置２の各部に供給する。
【００４７】
モニタ２９は、画像処理部２４から出力された映像信号を表示する。モニタ２９には、例えば、液晶パネル、有機ＥＬ、プラズマディスプレイパネルなどを用いることができる。
【００４８】
セレクタ２４１は、表示装置２の映像入力すなわち映像ソースを切り替える装置であり、具体的には、画像処理部２４からの制御に応じて、チューナ２１から入力された信号と、入出力インターフェース２５から入力された信号のいずれかを選択し、画像処理部２４に出力する。セレクタ２４１は、画像処理部２４の制御により、チューナ２１からの入力信号を選択した場合、チューナ２１で受信した放送波の信号に基づく映像を、画像処理部２４を介してモニタ２９に出力可能になる。一方、セレクタ２４１は、画像処理部２４によって入出力インターフェース２５からの入力信号を選択した場合、入出力インターフェース２５で受信したレコーダ１からの映像信号に基づく映像を、画像処理部２４を介してモニタ２９に出力可能になる。これによって、モニタ２９はセレクタ２４１で選択された映像が表示される。
【００４９】
画像処理部２４は表示装置２の各部を制御する。また、画像処理部２４は、セレクタ２４１から出力された映像信号をデコードすることも可能である。さらに、画像処理部２４は、映像信号に画像処理を行い、モニタ２９に表示可能な表示画像に変換することも可能である。画像処理部２４は、マイクロコンピュータで構成してもよいし、ハードワイヤードな回路で構成してもよい。
【００５０】
２．電源状態
２．１  レコーダの電源状態
レコーダ１の電源状態について説明する。本実施の形態のレコーダ１は、「電源ＯＮ状態」、「スタンバイ状態（電力供給一部ＯＦＦ）」、「電源ＯＦＦ状態（電力供給なし）」の３種類の電源状態を持つ。
【００５１】
「電源ＯＮ状態」は、レコーダ１の各部に電力が供給されている状態である。例えば、「電源ＯＮ状態」は、レコーダ１の主要機能を実現する機能部に対して電力が供給されていればよい。
【００５２】
「電源ＯＦＦ状態」は、電源１８からの電力供給がまったくない状態である。例えば、電源１８が、商用電源から電力を得ている場合、商用電源から電力が得られなくなった状態である。つまり、レコーダ１の電源ケーブルがコンセントから抜かれている場合などである。
【００５３】
「スタンバイ状態」は、コントローラ１４の一部に電力が供給されている状態である。「スタンバイ状態」は、レコーダ１の設定に応じて、電力を供給する回路を変更する。例えば、レコーダ１は、予約録画の設定が行なわれている場合、チューナ１１、コントローラ１４及びＨＤドライブ６等に電力を供給して、予約設定された番組を録画する。また、レコーダ１は、スタンバイ状態からより高速に電源ＯＮ状態に復帰できるモードに設定されている場合、コントローラ１４に電力を供給しておく。これによって、レコーダ１は、電源状態がスタンバイからＯＮにされた場合、より短時間で「電源ＯＮ状態」に復帰できる。また、レコーダ１は、特に上記のような設定がない場合、主要機能を実現する機能部以外の機能部に、例えば、受信部１６に電力を供給する。「スタンバイ状態」では、ディスクトレイ１９１は収納位置に位置するように制御される。すなわち、「スタンバイ状態」中は、ドライブ装置１９のディスクトレイ１９１の取り出し、取り入れを行うことはできない。
【００５４】
したがって、本実施の形態では、ディスクトレイ１９１が突出位置に存在する状態において、電源状態が「電源ＯＮ状態」から「スタンバイ状態」に変更されると、コントローラ１４は、ドライブ装置１９に指示を出し、ディスクトレイ１９１を収納位置に移動させるよう制御する。
【００５５】
２．２  表示装置の電源状態
表示装置２の電源状態について説明する。本実施の形態の表示装置２は、「ＴＶ電源ＯＮ状態」、「ＴＶスタンバイ（電力供給一部ＯＦＦ）」、「ＴＶ電源ＯＦＦ（電力供給なし）」の３種類の電源状態を持つ。
【００５６】
「ＴＶ電源ＯＮ状態」は、表示装置２の各部に電力が供給されている状態である。例えば、「電源ＯＮ状態」は、表示装置２の主要機能を実現する機能部に対して電力が供給されていればよい。
【００５７】
「ＴＶ電源ＯＦＦ」は、電源２８からの電力供給がまったくない状態である。例えば、電源２８が、商用電源から電力を得ている場合、商用電源から電力が得られなくなった状態である。つまり、表示装置２の電源ケーブルがコンセントから抜かれている場合などである。
【００５８】
「ＴＶスタンバイ状態」は、画像処理部２４の一部に電力が供給されている状態である。ＴＶスタンバイ状態では、表示装置２は、その主要機能を実現する機能部以外の機能部に、例えば、受信部２６に電力を供給する
【００５９】
３  レコーダと表示装置の間で送受信されるコントロール信号（ＣＥＣ）
ＨＤＭＩケーブル３で通信されるコントロール信号（ＣＥＣ）の一例について説明する。以下、レコーダ１から表示装置２に送信されるＴＶ入力切替信号（映像ソース切替信号）、表示装置２からレコーダ１に送信される「スタンバイ（ユニキャスト）」信号及び「スタンバイ（ブロードキャスト）」信号を説明する。
【００６０】
３．１  ＴＶ入力切替信号（映像ソース切替信号）について
レコーダ１は、ドライブ装置１９に収納された光ディスク４から映像信号を読み出して、表示装置２に出力する（光ディスクの再生動作）。光ディスクの再生動作中、光ディスクの再生動作を停止するユーザ操作があると、すなわち、光ディスクの再生動作を停止する操作信号をリモコン１０から受信すると、レコーダ１はＴＶ入力切替信号を表示装置２に送信する。なお、表示装置２にＴＶ入力切替信号を送信した後も、レコーダ１の電源状態は「電源ＯＮ状態」のままである。
【００６１】
表示装置２は、レコーダ１からＴＶ入力切替信号を受信すると、画像処理部２４への入力映像信号を、ＨＤＭＩケーブル３経由の映像信号（入出力インターフェース２５からの映像信号）から、チューナ２１からの映像信号に切り替える。つまり、画像処理部２４は、レコーダ１からＴＶ入力切替信号を受信すると、チューナ２１からの映像信号が画像処理部２４に入力されるようにセレクタ２４１を制御する。
【００６２】
なお、上記の例では、光ディスクの再生動作を停止するユーザの操作があったときに、ＴＶ入力切替信号が表示装置２に出力されたが、レコーダ１のディスクトレイ１９１をオープン状態にする（すなわち、ディスクトレイ１９１を突出位置に移動させる）ためのユーザ操作があったきに、レコーダ１はＴＶ入力切替信号を表示装置２に出力するようにしてもよい。
【００６３】
３．２  スタンバイ（ユニキャスト）信号について
表示装置２は、受信したＴＶ入力切替信号に応じて画像処理部２４に対する入力を、ＨＤＭＩケーブル３経由の入力（入出力インターフェース２５からの入力）から、チューナ２１からの入力に切り替えた後、チューナ２１からの入力が所定時間継続した場合、「スタンバイ（ユニキャスト）」信号をレコーダ１に送信する。
【００６４】
スタンバイ（ユニキャスト）信号は、特定のＨＤＭＩ端子に接続された機器の電源をスタンバイにするための信号である。本例では、特定のＨＤＭＩ端子はレコーダ１が接続されたＨＤＭＩ端子であり、レコーダ１に対してスタンバイ（ユニキャスト）信号が送信される。このように構成する理由は、レコーダ１の電力消費を低減するためである。つまり、チューナ２１からの入力が所定時間継続したことは、表示装置２にレコーダ１から（すなわちＨＤＭＩケーブル３経由で）映像信号が入力されていないことを意味する。よって、もはやレコーダ１の電源をＯＮにしておく必要がない可能性が高いと考えられる。そこで、本実施形態では、表示装置２において、ＨＤＭＩケーブル３経由の入力から、チューナ２１からの入力へ切り換えられた場合、スタンバイ（ユニキャスト）信号をレコーダ１に送信するように構成している。
【００６５】
ここで、スタンバイ（ユニキャスト）信号は、コントロール信号の送付先の情報（宛先アドレス）を含んでいる。コントロール信号がユニキャスト送信であるために、このコントロール信号の送付先として、入出力インターフェース２５に含まれる複数のコネクタの中の一つのコネクタのアドレスが指定されている。つまり、スタンバイ（ユニキャスト）信号には、ユニキャスト用の宛先アドレスが指定されている。なお、入出力インターフェース２５はＨＤＭＩに準拠した通信を行っていることから、コントローラ１４はＴＶ入力切替信号を受信したコネクタを特定できる。
【００６６】
レコーダ１は、受信したスタンバイ（ユニキャスト）信号に応じて後述の動作を実行する。
【００６７】
３．３  スタンバイ（ブロードキャスト）信号について
表示装置２は、ユーザからの操作に応じて（リモコン２０からの操作信号に応じて）、表示装置２の電源状態が「ＴＶ電源ＯＮ状態」から「ＴＶスタンバイ状態」に変更される。表示装置２は、その電源状態が「ＴＶ電源ＯＮ状態」から「ＴＶスタンバイ状態」に変更されると、スタンバイ（ブロードキャスト）信号を入出力インターフェース２５に接続する全ての機器に送信する。このように構成する理由は、ユーザの手間を省くためである。ユーザが意図して表示装置２の電源状態をスタンバイに変更した場合、多くの場合、レコーダ１などの表示装置２に接続する全機器の電源状態をＯＮにしておく必要がないと考えられる。そこで、本実施の形態では、表示装置２の電源状態がスタンバイに変更された場合、レコーダ１等に対して、スタンバイ（ブロードキャスト）信号を送信（ブロードキャスト）するようにしている。
【００６８】
ここで、スタンバイ（ブロードキャスト）信号は、コントロール信号の送付先の情報（宛先アドレス）を含んでいる。コントロール信号がブロードキャスト送信であるため、このコントロール信号の送付先として、入出力インターフェース２５に含まれる複数のコネクタの全てを示すアドレスが指定されている。つまり、表示装置２は、表示装置２に複数の機器が入出力インターフェース２５を介して接続されていれば、その複数の機器の各々に対して、スタンバイ（ブロードキャスト）信号を送信することになる。したがって、表示装置２は、レコーダ１にも、スタンバイ（ブロードキャスト）信号を送信する。なお、スタンバイ（ブロードキャスト）信号にはブロードキャスト用の宛先アドレスが指定され、含まれている。
【００６９】
なお、レコーダ１は、受信したスタンバイ（ブロードキャスト）信号に応じて、後述の動作を実行する。
【００７０】
４  スタンバイ信号受信時のレコーダの動作
図４のフローチャートを参照して、レコーダ１の電源状態が「電源ＯＮ状態」である場合にスタンバイ信号を受信したときの、レコーダ１（コントローラ１４）の動作を説明する。
【００７１】
コントローラ１４は、スタンバイ信号を受信すると（Ｓ１）、スタンバイ信号がユニキャスト送信されたものか否かを判別する（Ｓ２）。具体的に、コントローラ１４は、スタンバイ信号の宛先アドレスを確認して、ユニキャスト送信であるか否かを判断する。
【００７２】
コントローラ１４は、スタンバイ信号がユニキャスト送信されたものでない場合（すなわち、ブロードキャスト送信されたものである場合）、レコーダ１の電源状態を、スタンバイ状態に変更する（Ｓ５）。なお、スタンバイ信号がブロードキャスト送信されたものである場合、レコーダ１の電源状態をスタンバイ状態に変更する理由は、以下の通りである。
【００７３】
表示装置２からスタンバイ（ブロードキャスト）信号が送信されるタイミングは、ユーザの操作によって表示装置２の電源状態が「ＴＶスタンバイ状態」にされたタイミングである。つまり、ユーザは、表示装置２上での映像の視聴を終了したと考えられ、レコーダ１（特に、ディスクトレイ１９１）を操作する可能性は低いと考えられる。よって、レコーダ１がスタンバイ状態に変更されて、ディスクトレイ１９１が突出位置から収納位置に移動されても、ユーザの利便性には影響ないと考えられる。よって、本実施形態では、レコーダ１は、スタンバイ（ブロードキャスト）信号を受信したときは、ディスクトレイ１９１が突出（オープン）されているか否かに限らず、電源状態を「スタンバイ状態」に変更する。その後、コントローラ１４はレコーダ１の各部に対する電源の供給をＯＦＦする。
【００７４】
一方、ステップＳ２で、スタンバイ信号がユニキャスト送信されたものである場合、コントローラ１４は、ディスクトレイ１９１が収納位置に存在するか否かを判別する（Ｓ３）。つまり、コントローラ１４は、ディスクトレイ１９１がクローズ状態であるか否かを判別する。具体的には、コントローラ１４は、ドライブ装置１９に設けられたセンサを用いてディスクトレイ１９１が収納位置に存在するか否かを判別する。
【００７５】
ディスクトレイ１９１が収納位置に存在する場合、コントローラ１４は、レコーダ１の電源状態をスタンバイ状態に変更する（Ｓ５）。
【００７６】
ディスクトレイ１９１が収納位置に存在しない場合（Ｓ３でＮＯ）、コントローラ１４はレコーダ１の電源状態を変更しない（Ｓ４）。すなわち、レコーダ１の電源状態を現状のまま維持する。したがって、レコーダ１は、ディスクトレイ１９１が突出位置に存在する場合（ディスクトレイ１９１がオープン状態である場合）において、電源状態をスタンバイ状態することによって、ディスクトレイ１９１を収納しないようにする。これによって、ユーザが光ディスクの交換途中にディスクトレイ１９１がレコーダ１により強制的に収納されてしまい、ユーザの意図しない状況を招くことを防止でき、ユーザにとって好ましくない状況を招くことを防止できる。
【００７７】
５．まとめ
本実施の形態のレコーダ１は、表示装置２と接続可能である。レコーダ１は、装置本体に出し入れ可能に設けられ、突出位置と収納位置との間を移動可能なディスクトレイ１９１と、ディスクトレイ１９１が収納位置に存在するか否かを検知するコントローラ１４と、表示装置２からスタンバイ（ユニキャスト）信号を受け付けるコントローラ１４と、電源状態を制御するコントローラ１４と、電源状態が「スタンバイ状態」に変更された場合、ディスクトレイ１９１を収納位置に位置させるよう制御するコントローラ１４と、を備える。そしてコントローラ１４は、スタンバイ（ユニキャスト）信号を受け付けた場合、ディスクトレイ１９１が収納位置に存在するか否かに応じて、電源状態を「スタンバイ状態」に変更するか否かを制御する。
【００７８】
このようにすれば、表示装置２からスタンバイ（ユニキャスト）信号を受け付けた場合において、ディスクトレイ１９１が収納位置に移動されることによって、ユーザが意図しないディスクトレイ１９１の収納を防止できる。
【００７９】
第２の実施の形態
第２の実施の形態では、第１の実施形態と異なる箇所のみを説明し、第１の実施形態と同様の構成については説明を省略する。第１の実施形態とは、システム構成は同じである。以下では、スタンバイ信号を受信時のレコーダ１の別の動作例を説明する。
【００８０】
図５は、本実施形態におけるスタンバイ信号受信した時のレコーダ１の動作を示すフローチャートである。
【００８１】
第２の実施の形態のステップＳ１１〜Ｓ１２の動作は、第１の実施の形態の図４のステップＳ１〜Ｓ２の動作と同様である。本実施形態の動作は、ステップＳ１３以後の動作が第１の実施の形態のものと異なる。以下、ステップＳ１３以後の動作を説明する。
【００８２】
コントローラ１４は、ディスクトレイ１９１が収納位置に存在するか否かを判別する（Ｓ１３）。すなわち、コントローラ１４は、ディスクトレイ１９１がクローズ状態か否かを判別する。コントローラ１４は、ディスクトレイ１９１が収納位置に存在しないと判断した場合、ディスクトレイ１９１が収納位置に移動されるまで待機する（Ｓ１３でＮＯ）。すなわち、コントローラ１４は、ユーザによりトレイ用釦１９２が操作されることで、ディスクトレイ１９１が収納位置に収納されるのを待つ。これにより、ユーザが意図しないにもかかわらず、ディスクトレイ１９１が収納されてしまうことを防止できる。
【００８３】
ディスクトレイ１９１が収納位置に収納されると（Ｓ１３でＹＥＳ）、コントローラ１４は、ドライブ装置１９に光ディスク４が収納されているか否かを判別する（Ｓ１４）。
【００８４】
コントローラ１４は、光ディスク４がドライブ装置１９に収納されていない場合、レコーダ１の電源状態をスタンバイ状態に変更する（Ｓ１６）。
【００８５】
一方、光ディスクがドライブ装置１９に収納されている場合、コントローラ１４は、レコーダ１の電源状態を変更しない（Ｓ１５）。すなわち、レコーダ１の電源状態を現状のまま維持する。光ディスクがドライブ装置１９に収納された状況では、その光ディスクがユーザにより直ぐに再生される可能性が高いと考えられる。よって、本実施形態のように、光ディスクがドライブ装置１９に収納されている場合にレコーダ１の電源ＯＮの状態を維持することで、ユーザにより再生指示があったときに、コントローラ１４は光ディスクの再生を迅速に開始でき、ユーザの利便性を向上できる。
【００８６】
本実施の形態のレコーダ１は、表示装置２と接続可能であり、電源状態として省電力のために一部の回路のみに電源が供給されるスタンバイ状態を有するレコーダである。レコーダ１は、装置本体に出し入れ可能に設けられ、突出位置と収納位置との間を移動可能なディスクトレイ１９１と、ディスクトレイ１９１を駆動するドライブ装置１９と、ディスクトレイ１９１が収納位置にあるか否かを検知するセンサ１９３と、表示装置２から種々のコントロール信号を受信する入出力インターフェース１５と、レコーダ１の電源状態を制御するとともに、レコーダ１の電源状態がスタンバイ状態に変更された場合、ディスクトレイ１９１を収納位置に位置させるようにドライブ装置１９を制御するコントローラ１４とを備える。コントローラ１４は、入出力インターフェース１５がスタンバイ（ユニキャスト）信号を受信したときに、センサ１９３の検出結果に応じて電源状態をスタンバイ状態に変更するか否かを決定する。
【００８７】
以上の構成により、レコーダ１は、ユーザの意図しないディスクトレイ１９１の収納を防止しつつ電力消費の削減を実現し、さらに、光ディスクの迅速な再生動作の開始を実現できる。
【００８８】
（用語の対応）
レコーダ１は、外部装置と接続可能な電子機器および表示装置と接続可能な光ディスク再生装置の一例であり、表示装置２は外部装置の一例である。ディスクトレイ１９１は移動部材の一例である。センサ１９３は検出手段の一例である。コントローラ１４は電源制御手段および制御手段の一例である。受信部１６は指示受信手段の一例である。スタンバイ（ユニキャスト）」信号は、所定のコントロール信号および第１のコントロール信号の一例である。ＴＶ入力切替信号は第２のコントロール信号の一例である。
【００８９】
他の実施形態
本発明の実施の形態として、上記の実施形態を示したが、本発明は上記の実施の形態に限られない。例えば、以下の形態も考えられる。
【００９０】
上記の実施の形態では、光ディスクに対する映像データの記録再生が可能なレコーダ１に適用した例を説明したが、これに限られず、本発明の思想を、光ディスクからの映像データの再生のみが可能なプレーヤに適用することも可能である。
【００９１】
また、上記の実施の形態では、コントローラ１４を一つのＩＣで実現した。しかし、これに限られず、複数のＩＣで実現してもよい。なお、画像処理部２４についても同様に、複数のＩＣで実現してもよい。
【００９２】
また、上記の実施の形態では、電源の状態として３種類の電源状態を設定した。しかし、より多くの種類の電源の状態を設定してもよい。
【００９３】
すなわち、本発明は、上記実施の形態に限られず、種々の形態に適用可能である。
【産業上の利用可能性】
【００９４】
本発明は、外部装置と接続可能であり、外部装置からコントロール信号を受信することが可能な電子機器、例えば、表示装置に接続可能な光ディスク再生装置や光ディスク録画装置に適用可能である。
【符号の説明】
【００９５】
１  レコーダ
２  表示装置
３  ＨＤＭＩケーブル
４  光ディスク
５  アンテナ
６  ＨＤドライブ
１０、２０  リモコン
１１  チューナ
１２  フラッシュメモリ
１３  バッファメモリ
１４  コントローラ
１５  入出力インタフェース
１６  受信部
１７  アンテナ用端子
１８  電源
１９  ドライブ装置
２１  チューナ
２２  フラッシュメモリ
２３  バッファメモリ
２４  画像処理部
２４１  セレクタ
２５  入出力インタフェース
２６  受信部
２７  アンテナ用端子
２８  電源
２９  モニタ
１９１  ディスクトレイ
１９２  トレイ用釦
【手続補正３】
【補正対象書類名】図面
【補正対象項目名】全図
【補正方法】変更
【補正の内容】
【図１】
2010103799.tif 000008
【図２】
2010103799.tif 000009
【図３】
2010103799.tif 000010
【図４】
2010103799.tif 000011
【図５】
2010103799.tif 000012
【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
外部装置と接続可能であり、電源状態として省電力のために一部の回路のみに電源が供給されるスタンバイ状態を有する電子機器であって、
当該電子機器の本体に出し入れ可能に設けられ、突出位置と収納位置との間を移動可能な移動部材と、
前記移動部材を駆動させる駆動手段と、
前記移動部材が収納位置にあるか否かを検出する検出手段と、
前記外部装置から種々のコントロール信号を受信する通信手段と、
前記電子機器の電源状態を制御する電源制御手段と、
前記電源制御手段で当該電子機器の電源状態がスタンバイ状態に変更された場合、前記移動部材を収納位置に位置させるように前記駆動手段を制御する制御手段と、
を備え、
前記電源制御手段は、前記通信手段が所定のコントロール信号を受信したときに、
前記検出手段が、前記移動部材が収納位置にあることを検出した場合、前記電源状態をスタンバイ状態に変更するように制御し、
前記検出手段が、前記移動部材が収納位置にないことを検出した場合、前記電源状態を現状の状態に維持するように制御する、
電子機器。
【請求項２】
前記所定のコントロール信号はユニキャストで送信された信号である、請求項１に記載の電子機器。
【請求項３】
ユーザの指示を受け付ける指示受信手段をさらに備え、
前記制御手段は、前記指示受信手段が前記移動部材を突出位置に移動させる指示を受け付けたときに、前記外部装置の入力の切替えを指示するコントロール信号を前記外部装置に送信し、
その後に、前記通信手段が前記外部装置から前記所定のコントロール信号を受信する、
請求項１に記載の電子機器。
【請求項４】
表示装置と接続可能であり、電源状態として省電力のために一部の回路のみに電源が供給されるスタンバイ状態を有する光ディスク再生装置であって、
光ディスクを載置又は保持し、当該光ディスク再生装置の本体に出し入れ可能に設けられ、突出位置と収納位置との間を移動可能なディスクトレイと、
前記ディスクトレイを駆動する駆動手段と、
前記ディスクトレイが収納位置にあるか否かを検知する第１の検出手段と、
前記表示装置から種々のコントロール信号を受信する通信手段と、
前記光ディスク再生装置の電源状態を制御する電源制御手段と、
前記電源制御手段で前記光ディスク再生装置の電源状態がスタンバイ状態に変更された場合、前記ディスクトレイを収納位置に位置させるように前記駆動手段を制御する制御手段と、を備え、
前記電源制御手段は、前記通信手段が所定のコントロール信号を受信したときに、
前記第１の検出手段が、前記ディスクトレイが収納位置にあることを検知した場合、前記電源状態をスタンバイ状態に変更するように制御し、
前記第１の検出手段が、前記ディスクトレイが収納位置にないことを検知した場合、前記電源状態を現状の状態に維持するように制御する、
光ディスク再生装置。
【請求項５】
前記ディスクトレイが光ディスクを載置又は保持しているか否かを検出する第２の検出手段をさらに備え、
前記電源制御手段は、前記通信手段が前記所定のコントロール信号を受信したときに、前記第１の検出手段により前記ディスクトレイが収納位置にあると判断された場合に、前記第２の検出手段の検出結果に応じて当該光ディスク再生装置の電源状態をスタンバイ状態に変更するか否かを制御する、
請求項４に記載の光ディスク再生装置。
【請求項６】
前記所定のコントロール信号は、ユニキャストで送信された信号である、請求項４に記載の光ディスク再生装置。
【請求項７】
ユーザの指示を受け付ける指示受信手段をさらに備え、
前記制御手段は、前記指示受信手段が前記ディスクトレイを突出位置に移動させる指示を受け付けたときに、前記表示装置の映像入力の切替えを指示するコントロール信号を前記表示装置に送信し、
その後に、前記通信手段が前記表示装置から前記所定のコントロール信号を受信する、
請求項４に記載の光ディスク再生装置。
【請求項８】
表示装置と、前記表示装置に接続可能な光ディスク再生装置とを含む光ディスク再生システムであって、
前記表示装置は、
前記光ディスク再生装置との間で種々のコントロール信号の通信を行なう第１の通信手段と、
前記光ディスク再生装置から映像信号を受信する第１の受信手段と、
前記光ディスク再生装置と異なる映像ソースから映像信号を受信する第２の受信手段と、
少なくとも前記第１及び第２の受信手段の中から１つの受信手段を選択し、選択した受信手段からの映像信号を出力する選択手段と、
前記選択手段を制御する選択制御手段と、
前記選択制御手段によって、前記選択手段が選択する出力が、前記第１の受信手段からの映像信号から、前記第２の受信手段からの映像信号に切り換えられた場合、前記第１の通信手段を介して前記光ディスク再生装置に第１のコントロール信号を送信する第１の送信手段と、を備え、
前記光ディスク再生装置は、
前記表示装置との間で前記種々のコントロール信号の通信を行なう第２の通信手段と、
前記光ディスク再生装置の本体に出し入れ可能に設けられ、突出位置と収納位置との間を移動可能なディスクトレイと、
前記ディスクトレイによって収納された光ディスクから映像信号を再生し、前記表示装置に出力する再生手段と、
ユーザによる前記再生手段の再生動作を停止させる指示または前記ディスクトレイを突出位置に移動させる指示を受信する指示受信手段と、
前記ディスクトレイが収納位置にあるか否かを検出する検出手段と、
前記光ディスク再生装置の電源状態を制御する電源制御手段と、
前記電源制御手段により電源状態がスタンバイ状態に変更された場合、前記ディスクトレイを収納位置に位置させるよう制御する制御手段と、
を備え、
前記光ディスク再生装置の前記電源制御手段は、前記表示装置から前記第１のコントロール信号を受信したときに、
前記検出手段が、前記ディスクトレイが収納位置にあることを検出した場合、前記光ディスク再生装置の電源状態をスタンバイ状態に変更するように制御し、
前記検出手段が、前記ディスクトレイが収納位置にないことを検出した場合、前記光ディスク再生装置の電源状態を現状の状態に維持するように制御し、
前記光ディスク再生装置の前記制御手段は、前記指示受信手段が前記再生動作を停止させる指示または前記ディスクトレイを突出位置に移動させる指示を受信したときに、前記第２の通信手段を介して前記表示装置に第２のコントロール信号を送信し、
前記表示装置の選択制御手段は、前記選択手段によって前記第１の受信手段が選択されている状態で、前記光ディスク再生装置から前記第２のコントロール信号を受信した場合、前記第２の受信手段を選択するように前記選択手段を制御する、
光ディスク再生システム。
【請求項９】
前記第１のコントロール信号はユニキャストで送信された信号である、請求項８に記載の光ディスク再生システム。
【手続補正２】
【補正対象書類名】明細書
【補正対象項目名】００１５
【補正方法】変更
【補正の内容】
【００１５】
本発明の第１の態様において、外部装置と接続可能であり、電源状態として省電力のために一部の回路のみに電源が供給されるスタンバイ状態を有する電子機器が提供される。電子機器は、その本体に出し入れ可能に設けられ、突出位置と収納位置との間を移動可能な移動部材と、移動部材を駆動させる駆動手段と、移動部材が収納位置にあるか否かを検出する検出手段と、外部装置から種々のコントロール信号を受信する通信手段と、電子機器の電源状態を制御する電源制御手段と、電源制御手段で電子機器の電源状態がスタンバイ状態に変更された場合、移動部材を収納位置に位置させるように駆動手段を制御する制御手段と、を備える。電源制御手段は、通信手段が所定のコントロール信号を受信したときに、検出手段が、移動部材が収納位置にあることを検出した場合、電源状態をスタンバイ状態に変更するように制御し、検出手段が、移動部材が収納位置にないことを検出した場合、電源状態を現状の状態に維持するように制御する。
【手続補正３】
【補正対象書類名】明細書
【補正対象項目名】００１７
【補正方法】変更
【補正の内容】
【００１７】
本発明の第２の態様において、表示装置と接続可能であり、電源状態として省電力のために一部の回路のみに電源が供給されるスタンバイ状態を有する光ディスク再生装置が提供される。光ディスク再生装置は、その本体に出し入れ可能に設けられ、突出位置と収納位置との間を移動可能なディスクトレイと、ディスクトレイを駆動する駆動手段と、ディスクトレイが収納位置にあるか否かを検知する第１の検出手段と、表示装置から種々のコントロール信号を受信する通信手段と、光ディスク再生装置の電源状態を制御する電源制御手段と、電源制御手段で光ディスク再生装置の電源状態がスタンバイ状態に変更された場合、ディスクトレイを収納位置に位置させるように駆動手段を制御する制御手段と、を備える。電源制御手段は、通信手段が所定のコントロール信号を受信したときに、第１の検出手段が、前記ディスクトレイが収納位置にあることを検知した場合、電源状態をスタンバイ状態に変更するように制御し、第１の検出手段が、ディスクトレイが収納位置にないことを検知した場合、電源状態を現状の状態に維持するように制御する。
【手続補正４】
【補正対象書類名】明細書
【補正対象項目名】００２０
【補正方法】変更
【補正の内容】
【００２０】
本発明の第３の態様において、表示装置と、表示装置に接続可能な光ディスク再生装置とを含む光ディスク再生システムが提供される。表示装置は、光ディスク再生装置との間で種々のコントロール信号の通信を行なう第１の通信手段と、光ディスク再生装置から映像信号を受信する第１の受信手段と、光ディスク再生装置と異なる映像ソースから映像信号を受信する第２の受信手段と、少なくとも第１及び第２の受信手段の中から１つの受信手段を選択し、選択した受信手段からの映像信号を出力する選択手段と、選択手段を制御する選択制御手段と、選択制御手段によって、選択手段が選択する出力が、第１の受信手段からの映像信号から、第２の受信手段からの映像信号に切り換えられた場合、第１の通信手段を介して光ディスク再生装置に第１のコントロール信号を送信する第１の送信手段とを備える。光ディスク再生装置は、表示装置との間で種々のコントロール信号の通信を行なう第２の通信手段と、光ディスク再生装置の本体に出し入れ可能に設けられ、突出位置と収納位置との間を移動可能なディスクトレイと、ディスクトレイによって収納された光ディスクから映像信号を再生し、表示装置に出力する再生手段と、ユーザによる再生手段の再生動作を停止させる指示またはディスクトレイを突出位置に移動させる指示を受信する指示受信手段と、ディスクトレイが収納位置にあるか否かを検出する検出手段と、光ディスク再生装置の電源状態を制御する電源制御手段と、電源制御手段により電源状態がスタンバイ状態に変更された場合、ディスクトレイを収納位置に位置させるよう制御する制御手段と、を備える。光ディスク再生装置の電源制御手段は、表示装置から第１のコントロール信号を受信したときに、検出手段が、ディスクトレイが収納位置にあることを検出した場合、光ディスク再生装置の電源状態をスタンバイ状態に変更するように制御し、検出手段が、ディスクトレイが収納位置にないことを検出した場合、光ディスク再生装置の電源状態を現状の状態に維持するように制御する。光ディスク再生装置の制御手段は、指示受信手段が再生動作を停止させる指示またはディスクトレイを突出位置に移動させる指示を受信したときに、第２の通信手段を介して表示装置に第２のコントロール信号を送信する。表示装置の選択制御手段は、選択手段によって第１の受信手段が選択されている状態で、光ディスク再生装置から第２のコントロール信号を受信した場合、第２の受信手段を選択するように選択手段を制御する。
【国際調査報告】
2010103799.tif 000013
2010103799.tif 000014
2010103799.tif 000015